(57)【要約】ワイヤレスネットワークにおける一般的な位置決め方法が、いくつかの異なる無線アクセス技術（ＲＡＴ）のうちの任意の１つ（または複数）によってサービス提供されるターゲットユーザ機器（ＵＥ）の測位を可能にし、異なるＲＡＴに属するアクセスノードのＵＥによる測定および／または異なるＲＡＴのためのアクセスノードによるＵＥの測定を可能にする技法が開示される。一般的な位置決め方法を用いて、複数のＲＡＴに適用可能であり、ターゲットＵＥのためのサービングＲＡＴをロケーションサーバが事前に知ることを必要としない、プロシージャ、メッセージ、およびパラメータの共通セットが定義され得る。【選択図】  図３
2021512285.tif 000002
【特許請求の範囲】
【請求項１】
ワイヤレスネットワーク内のロケーションサーバにおいてユーザ機器（ＵＥ）を位置特定する方法であって、
前記ＵＥのロケーションを決定するためのロケーション測定値の第１のセットに対する要求を備える第１のメッセージを、ワイヤレスエンティティに送ることと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、
前記複数のＲＡＴのうちのどのＲＡＴが前記サービングＲＡＴを備えるかは、前記ロケーションサーバにとって未知である、
前記ワイヤレスエンティティから第２のメッセージを受信することと、ここで、前記第２のメッセージは、前記ＵＥの前記ロケーションを決定するためのロケーション測定値の第２のセットを備え、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ロケーション測定値の第２のセットに基づいて前記ＵＥの前記ロケーションを決定することと
を備える方法。
【請求項２】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項１に記載の方法。
【請求項３】
前記ワイヤレスエンティティは、前記サービングＲＡＴの前記ワイヤレスネットワークのための第１のアクセスノードを備える、請求項２に記載の方法。
【請求項４】
前記第１のメッセージおよび前記第２のメッセージは、ＮＲ測位プロトコルＡ（ＮＲＰＰａ）のためのメッセージを備える、請求項３に記載の方法。
【請求項５】
前記ロケーション測定値の第２のセットは、前記サービングＲＡＴを使用して前記第１のアクセスノードによって送信された信号の、前記ＵＥによって取得されるロケーション測定値を備え、
前記ＵＥによって取得される前記ロケーション測定値は、前記ＵＥによって前記第１のアクセスノードに送られる、
請求項３に記載の方法。
【請求項６】
前記ロケーション測定値の第２のセットは、前記複数のＲＡＴのうちの少なくとも１つを使用して第２のアクセスノードによって送信された信号の、前記ＵＥによって取得されるロケーション測定値を備え、
前記第２のアクセスノードは、前記第１のアクセスノードとは異なり、
前記ＵＥによって取得される前記ロケーション測定値は、前記ＵＥによって前記第１のアクセスノードに送られる、
請求項３に記載の方法。
【請求項７】
ワイヤレスネットワークのためのアクセスノードにおいてユーザ機器（ＵＥ）を位置特定する方法であって、
前記ＵＥのロケーションを決定するためのロケーション測定値の第１のセットに対する要求を備える第１のメッセージを、前記ワイヤレスネットワーク内のロケーションサーバから受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを備え、
前記複数のＲＡＴのうちのどのＲＡＴが前記サービングＲＡＴを備えるかは、前記ロケーションサーバにとって未知であり、
前記アクセスノードは、前記サービングＲＡＴのアクセスノードである、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
第２のメッセージを前記ロケーションサーバに送ることと、ここで、前記第２のメッセージは、前記ロケーション測定値の第２のセットを備える、
を備える方法。
【請求項８】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項７に記載の方法。
【請求項９】
前記アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備える、請求項８に記載の方法。
【請求項１０】
前記アクセスノードは、前記ＵＥのためのサービングｇＮＢまたはサービングｎｇ−ｅＮＢである、請求項９に記載の方法。
【請求項１１】
前記第１のメッセージおよび前記第２のメッセージは、ＮＲ測位プロトコルＡ（ＮＲＰＰａ）のためのメッセージを備える、請求項８に記載の方法。
【請求項１２】
前記ロケーション測定値の第２のセットを取得することは、
前記ＵＥによって送信された前記サービングＲＡＴのための信号のロケーション測定値の第３のセットを取得することと、
前記ロケーション測定値の第３のセットを、前記ロケーション測定値の第２のセットに含めることと
を備える、請求項８に記載の方法。
【請求項１３】
前記ロケーション測定値の第２のセットを取得することは、
前記複数のＲＡＴのうちの少なくとも１つを使用して少なくとも１つのアクセスノードによって送信された信号の、前記ＵＥによって取得されるロケーション測定値を、前記アクセスノードにおいて、受信することと、
前記ＵＥによって取得される前記ロケーション測定値を、前記ロケーション測定値の第２のセットに含めることと
を備える、請求項８に記載の方法。
【請求項１４】
前記少なくとも１つのアクセスノードは、前記アクセスノードを備え、前記複数のＲＡＴのうちの前記少なくとも１つは、前記サービングＲＡＴを備える、請求項１３に記載の方法。
【請求項１５】
ロケーション情報を提供するための、ユーザ機器（ＵＥ）における、方法であって、
前記ＵＥのロケーションを決定するためのロケーション測定値の第１のセットに対する要求を備える第１のメッセージを、ワイヤレスネットワーク内のロケーションサーバから受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、
前記複数のＲＡＴのうちのどのＲＡＴが前記サービングＲＡＴを備えるかは、前記ロケーションサーバにとって未知である、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
第２のメッセージを前記ロケーションサーバに送ることと、ここで、前記第２のメッセージは、前記ロケーション測定値の第２のセットを備える、
を備える方法。
【請求項１６】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項１５に記載の方法。
【請求項１７】
前記ロケーション測定値の第２のセットを取得することは、
前記複数のＲＡＴのうちの少なくとも１つを使用して少なくとも１つのアクセスノードによって送信された信号のロケーション測定値の第３のセットを取得することと、
前記ロケーション測定値の第３のセットを、前記ロケーション測定値の第２のセットに含めることと
を備える、請求項１６に記載の方法。
【請求項１８】
ワイヤレスネットワークにおいてユーザ機器（ＵＥ）を位置特定するためのサーバであって、
通信インターフェースと、
メモリと、
前記メモリおよび前記通信インターフェースと通信可能に結合されている１つまたは複数の処理ユニットと
を備え、前記１つまたは複数の処理ユニットは、
前記ＵＥのロケーションを決定するためのロケーション測定値の第１のセットに対する要求を備える第１のメッセージを、ワイヤレスエンティティに前記通信インターフェースを介して送ることと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、
前記複数のＲＡＴのうちのどのＲＡＴが前記サービングＲＡＴを備えるかは、前記サーバにとって未知である、
前記ワイヤレスエンティティから第２のメッセージを、前記通信インターフェースを介して、受信することと、ここで、前記第２のメッセージは、前記ＵＥの前記ロケーションを決定するためのロケーション測定値の第２のセットを備え、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ロケーション測定値の第２のセットに基づいて前記ＵＥの前記ロケーションを決定することと
を前記サーバに行わせるように構成される、サーバ。
【請求項１９】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項１８に記載のサーバ。
【請求項２０】
前記ワイヤレスエンティティは、前記サービングＲＡＴの前記ワイヤレスネットワークのための第１のアクセスノードを備える、請求項１９に記載のサーバ。
【請求項２１】
前記第１のメッセージおよび前記第２のメッセージは、ＮＲ測位プロトコルＡ（ＮＲＰＰａ）のためのメッセージを備える、請求項２０に記載のサーバ。
【請求項２２】
前記ロケーション測定値の第２のセットは、前記サービングＲＡＴを使用して前記第１のアクセスノードによって送信された信号の、前記ＵＥによって取得されるロケーション測定値を備え、
前記ＵＥによって取得される前記ロケーション測定値は、前記ＵＥによって前記第１のアクセスノードに送られる、
請求項２０に記載のサーバ。
【請求項２３】
前記ロケーション測定値の第２のセットは、前記複数のＲＡＴのうちの少なくとも１つを使用して第２のアクセスノードによって送信された信号の、前記ＵＥによって取得されるロケーション測定値を備え、
前記第２のアクセスノードは、前記第１のアクセスノードとは異なり、
前記ＵＥによって取得される前記ロケーション測定値は、前記ＵＥによって前記第１のアクセスノードに送られる、
請求項２０に記載のサーバ。
【請求項２４】
ワイヤレスネットワークにおいてユーザ機器（ＵＥ）を位置特定するためのアクセスノードであって、
通信インターフェースと、
メモリと、
前記メモリおよび前記通信インターフェースと通信可能に結合されている１つまたは複数の処理ユニットと
を備え、前記１つまたは複数の処理ユニットは、
前記ＵＥのロケーションを決定するためのロケーション測定値の第１のセットに対する要求を備える第１のメッセージを、前記ワイヤレスネットワーク内のロケーションサーバから前記通信インターフェースを介して、受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを備え、
前記複数のＲＡＴのうちのどのＲＡＴが前記サービングＲＡＴを備えるかは、前記ロケーションサーバにとって未知であり、
前記アクセスノードは、前記サービングＲＡＴのアクセスノードである、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記通信インターフェースを介して第２のメッセージを前記ロケーションサーバに送ることと、ここで、前記第２のメッセージは、前記ロケーション測定値の第２のセットを備える、
を前記アクセスノードに行わせるように構成される、アクセスノード。
【請求項２５】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項２４に記載のアクセスノード。
【請求項２６】
前記アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備える、請求項２５に記載のアクセスノード。
【請求項２７】
前記アクセスノードは、前記ＵＥのためのサービングｇＮＢまたはサービングｎｇ−ｅＮＢである、請求項２６に記載のアクセスノード。
【請求項２８】
前記第１のメッセージおよび前記第２のメッセージは、ＮＲ測位プロトコルＡ（ＮＲＰＰａ）のためのメッセージを備える、請求項２５に記載のアクセスノード。
【請求項２９】
前記１つまたは複数の処理ユニットは、少なくとも部分的に、
前記ＵＥによって送信された前記サービングＲＡＴのための信号のロケーション測定値の第３のセットを取得することと、
前記ロケーション測定値の第３のセットを、前記ロケーション測定値の第２のセットに含めることと
によって、前記ロケーション測定値の第２のセットを取得することを前記アクセスノードに行わせるように構成される、請求項２５に記載のアクセスノード。
【請求項３０】
前記ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの任意の組合せのうちの少なくとも１つを備える、請求項２９に記載のアクセスノード。
【請求項３１】
前記１つまたは複数の処理ユニットは、少なくとも部分的に、
前記複数のＲＡＴのうちの少なくとも１つを使用して少なくとも１つのアクセスノードによって送信された信号の、前記ＵＥによって取得されるロケーション測定値を、前記アクセスノードにおいて、受信することと、
前記ＵＥによって取得される前記ロケーション測定値を、前記ロケーション測定値の第２のセットに含めることと
によって、前記ロケーション測定値の第２のセットを取得することを前記アクセスノードに行わせるように構成される、請求項２５に記載のアクセスノード。
【請求項３２】
前記少なくとも１つのアクセスノードは、前記アクセスノードを備え、前記複数のＲＡＴのうちの前記少なくとも１つは、前記サービングＲＡＴを備える、請求項３１に記載のアクセスノード。
【請求項３３】
前記少なくとも１つのアクセスノードは、前記アクセスノードを備えない、請求項３１に記載のアクセスノード。
【請求項３４】
前記複数のＲＡＴのうちの前記少なくとも１つは、前記サービングＲＡＴを備えない、請求項３３に記載のアクセスノード。
【請求項３５】
前記１つまたは複数の処理ユニットは、前記ＵＥによって取得される前記ロケーション測定値に対する要求を、前記ＵＥに送ることを前記アクセスノードに行わせるようにさらに構成され、ここにおいて、前記ＵＥによって取得される前記ロケーション測定値を前記受信することは、前記ＵＥによって取得される前記ロケーション測定値に対する前記要求を前記送ることに応じて行われる、請求項３１に記載のアクセスノード。
【請求項３６】
前記ＵＥによって取得される前記ロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの任意の組合せのうちの少なくとも１つを備える、請求項３１に記載のアクセスノード。
【請求項３７】
ユーザ機器（ＵＥ）であって、
ワイヤレス通信インターフェースと、
メモリと、
前記メモリおよび前記ワイヤレス通信インターフェースと通信可能に結合されている１つまたは複数の処理ユニットと
を備え、前記１つまたは複数の処理ユニットは、
前記ＵＥのロケーションを決定するためのロケーション測定値の第１のセットに対する要求を備える第１のメッセージを、ワイヤレスネットワーク内のロケーションサーバから前記ワイヤレス通信インターフェースを介して、受信することと、ここにおいて、
前記ロケーション測定値の第１のセットは、複数の無線アクセス技術（ＲＡＴ）に属する信号の測定値を備え、
前記複数のＲＡＴは、前記ＵＥにサービス提供するサービングＲＡＴを含み、
前記複数のＲＡＴのうちのどのＲＡＴが前記サービングＲＡＴを備えるかは、前記ロケーションサーバにとって未知である、
前記ＵＥの前記ロケーションを決定するためのロケーション測定値の第２のセットを取得することと、ここにおいて、
前記ロケーション測定値の第２のセットは、前記ロケーション測定値の第１のセットのサブセットを備え、
前記ロケーション測定値の第２のセットは、前記サービングＲＡＴに属する信号の測定値を含む、
前記ワイヤレス通信インターフェースを介して第２のメッセージを前記ロケーションサーバに送ることと、ここで、前記第２のメッセージは、前記ロケーション測定値の第２のセットを備える、
を前記ＵＥに行わせるように構成される、ＵＥ。
【請求項３８】
前記複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの任意の組合せを備える、請求項３７に記載のＵＥ。
【請求項３９】
前記第１のメッセージおよび前記第２のメッセージは、ＬＴＥ測位プロトコル（ＬＰＰ）、ＮＲ測位プロトコル（ＮＰＰ）、または両方のためのメッセージを備える、請求項３８に記載のＵＥ。
【請求項４０】
前記１つまたは複数の処理ユニットは、少なくとも部分的に、
前記複数のＲＡＴのうちの少なくとも１つを使用して少なくとも１つのアクセスノードによって送信された信号のロケーション測定値の第３のセットを取得することと、
前記ロケーション測定値の第３のセットを、前記ロケーション測定値の第２のセットに含めることと
によって、前記ロケーション測定値の第２のセットを取得することを前記ＵＥに行わせるように構成される、請求項３８に記載のＵＥ。
【請求項４１】
前記ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡＯＤ）、受信送信時間差（Ｒｘ−Ｔｘ）、基準信号時間差（ＲＳＴＤ）、到着時間（ＴＯＡ）、またはそれらの任意の組合せのうちの少なくとも１つを備える、請求項４０に記載のＵＥ。
【請求項４２】
前記少なくとも１つのアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備える、請求項４０に記載のＵＥ。
【請求項４３】
前記複数のＲＡＴのうちの前記少なくとも１つは、前記サービングＲＡＴを備える、請求項４０に記載のＵＥ。
【請求項４４】
前記少なくとも１つのアクセスノードは、前記ＵＥのためのサービングｇＮＢまたはサービングｎｇ−ｅＮＢを備える、請求項４３に記載のＵＥ。
【請求項４５】
前記複数のＲＡＴのうちの前記少なくとも１つは、前記サービングＲＡＴとは異なる、請求項４０に記載のＵＥ。
【発明の詳細な説明】
【背景技術】
【０００１】
[0001]ワイヤレスネットワークにアクセスしているモバイルデバイスのロケーションを取得することは、例えば、緊急呼、パーソナルナビゲーション、資産追跡、友人または家族メンバーの位置特定、等を含む多くのアプリケーションに有用であり得る。第５世代（５Ｇ）ネットワークでは、第３世代パートナーシッププロジェクト（３ＧＰＰ（登録商標））によって現在開発中の５Ｇ制御プレーンロケーションソリューションが、異なる無線アクセス技術（ＲＡＴ）（例えば、ロングタームエボリューション（ＬＴＥ（登録商標））、新無線（ＮＲ）、ＷｉＦｉ、等）のためのロケーションをサポートするようになり、ロケーションセッションの前またはロケーションセッション中にユーザ機器（ＵＥ）がＲＡＴを変更できるようになると予想されている。しかしながら、これでは、ロケーションサーバがＵＥのための現在のサービングＲＡＴを知らないことになり、および／または、ロケーション測定値もしくはロケーション推定値を取得している最中にＵＥがサービングＲＡＴを変更することになり得る。これらのイベントはどちらも、ワイヤレスネットワークのための現在の制御プレーンロケーションソリューションによって完全にはサポートされていない。ゆえに、未知のサービングＲＡＴを有するＵＥのためにおよび／または測位を実行している最中にＵＥがＲＡＴを変更する場合に、５Ｇネットワークにおいてロケーションサポートを可能にすることが有利であり得る。
【発明の概要】
【０００２】
[0002]本明細書で説明される技法は、いくつかの異なるＲＡＴによってサービス提供されるターゲットＵＥの測位を可能にし、異なるＲＡＴに属するアクセスノードのＵＥによる測定および／または異なるＲＡＴのためのアクセスノードによるＵＥの測定を可能にする一般的な位置決め方法を使用することによって、これらおよび他の問題に対処する。一般的な位置決め方法を用いて、いくつかの異なるＲＡＴに適用可能であり、異なるＲＡＴのための共通の一般的な位置決め方法の異なる変形をサポートするプロシージャ、メッセージ、およびパラメータの共通のセットが定義され得る。複数のＲＡＴのためのロケーションサポートを可能にすることに加えて、そのような一般的な位置決め方法は、複数のＲＡＴに対してプロシージャ、メッセージ、およびパラメータの同じセットを再使用することによってインプリメンテーションを低減し得る。
【０００３】
[0003]本説明によれば、ワイヤレスネットワーク内のロケーションサーバにおいてユーザ機器（ＵＥ）を位置特定する例となる方法は、ＵＥのロケーションを決定するためのロケーション測定値の第１のセットに対する要求を備える第１のメッセージを、ワイヤレスエンティティに送ることを備え、ここにおいて、ロケーション測定値の第１のセットは、複数の無線アクセス技術（ＲＡＴ）に属する信号の測定値を備え、複数のＲＡＴは、ＵＥにサービス提供するサービングＲＡＴを含み、複数のＲＡＴのうちのどのＲＡＴがサービングＲＡＴを備えるかは、ロケーションサーバにとって未知である。方法は、ワイヤレスエンティティから第２のメッセージを受信することをさらに備え、ここで、第２のメッセージは、ＵＥのロケーションを決定するためのロケーション測定値の第２のセットを備え、ここにおいて、ロケーション測定値の第２のセットは、ロケーション測定値の第１のセットのサブセットを備え、ロケーション測定値の第２のセットは、サービングＲＡＴに属する信号の測定値を含む。方法はまた、ロケーション測定値の第２のセットに基づいてＵＥのロケーションを決定することを備える。
【０００４】
[0004]方法の代替的な実施形態は、以下の特徴のうちの１つまたは複数を備え得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥース（登録商標）ＲＡＴ、またはそれらの何らかの組合せを備え得る。ワイヤレスエンティティは、サービングＲＡＴのワイヤレスネットワークのための第１のアクセスノードを備え得る。第１のアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。第１のアクセスノードは、ＵＥのためのサービングｇＮＢまたはサービングｎｇ−ｅＮＢを備え得る。第１のメッセージおよび第２のメッセージは、ＮＲ測位プロトコルＡ（ＮＲＰＰａ）のためのメッセージを備え得る。ロケーション測定値の第２のセットは、サービングＲＡＴを使用してＵＥによって送信された信号の、第１のアクセスノードによって取得されるロケーション測定値を備え得る。第１のアクセスノードによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。ロケーション測定値の第２のセットは、サービングＲＡＴを使用して第１のアクセスノードによって送信された信号の、ＵＥによって取得されるロケーション測定値を備え得、ＵＥによって取得されるロケーション測定値は、ＵＥによって第１のアクセスノードに送られ得る。ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、またはそれらの何らかの組合せのうちの少なくとも１つを備え得る。ロケーション測定値の第２のセットは、複数のＲＡＴのうちの少なくとも１つを使用して第２のアクセスノードによって送信された信号の、ＵＥによって取得されるロケーション測定値を備え得、第２のアクセスノードは、第１のアクセスノードとは異なり得、ＵＥによって取得されるロケーション測定値は、ＵＥによって第１のアクセスノードに送られ得る。複数のＲＡＴのうちの少なくとも１つは、サービングＲＡＴとは異なり得る。ワイヤレスエンティティは、ＵＥを備え得る。第１のメッセージおよび第２のメッセージは、ＬＴＥ測位プロトコル（ＬＰＰ）、ＮＲ測位プロトコル（ＮＰＰ）、または両方のためのメッセージを備え得る。ロケーション測定値の第２のセットは、サービングＲＡＴを使用して第１のアクセスノードによって送信された信号の、ＵＥによって取得されるロケーション測定値を備え得る。ＵＥによって取得されるロケーション測定値は、受信信号強度インジケーション（ＲＳＳＩ）、基準信号��信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。第１のアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。第１のアクセスノードは、ＵＥのためのサービングｇＮＢまたはサービングｎｇ−ｅＮＢを備え得る。ロケーション測定値の第２のセットは、サービングＲＡＴを使用して複数のアクセスノードによって送信された信号の、ＵＥによって取得されるロケーション測定値を備え得る。ＵＥによって取得されるロケーション測定値は、到着時間（ＴＯＡ）、基準信号時間差（ＲＳＴＤ）、またはそれらの何らかの組合せのうちの少なくとも１つを備え得る。ロケーション測定値の第２のセットは、複数のＲＡＴのうちの少なくとも１つを使用して複数のアクセスノードによって送信された信号の、ＵＥによって取得されるロケーション測定値を備え得、ここにおいて、複数のＲＡＴのうちの少なくとも１つは、サービングＲＡＴとは異なる。
【０００５】
[0005]本説明によれば、ワイヤレスネットワークのためのアクセスノードにおいてＵＥを位置特定する例となる方法は、ＵＥのロケーションを決定するためのロケーション測定値の第１のセットに対する要求を備える第１のメッセージを、ワイヤレスネットワーク内のロケーションサーバから受信することを備え、ここにおいて、ロケーション測定値の第１のセットは、複数の無線アクセス技術（ＲＡＴ）に属する信号の測定値を備え、複数のＲＡＴは、ＵＥにサービス提供するサービングＲＡＴを備え、複数のＲＡＴのうちのどのＲＡＴがサービングＲＡＴを備えるかは、ロケーションサーバにとって未知であり、アクセスノードは、サービングＲＡＴのアクセスノードである。方法は、ＵＥのロケーションを決定するためのロケーション測定値の第２のセットを取得することをさらに備え、ここにおいて、ロケーション測定値の第２のセットは、ロケーション測定値の第１のセットのサブセットを備え、ロケーション測定値の第２のセットは、サービングＲＡＴに属する信号の測定値を含む。方法はまた、第２のメッセージをロケーションサーバに送ることを備え、ここで、第２のメッセージは、ロケーション測定値の第２のセットを備える。
【０００６】
[0006]方法の代替的な実施形態は、以下の特徴のうちの１つまたは複数を含み得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備え得る。アクセスノードは、ＵＥのためのサービングｇＮＢまたはサービングｎｇ−ｅＮＢであり得る。第１のメッセージおよび第２のメッセージは、ＮＲ測位プロトコルＡ（ＮＲＰＰａ）のためのメッセージを備え得る。ロケーション測定値の第２のセットを取得することは、ＵＥによって送信されたサービングＲＡＴのための信号のロケーション測定値の第３のセットを取得することと、ロケーション測定値の第３のセットを、ロケーション測定値の第２のセットに含めることとを備え得る。ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。ロケーション測定値の第２のセットは、複数のＲＡＴのうちの少なくとも１つを使用して少なくとも１つのアクセスノードによって送信された信号の、ＵＥによって取得されるロケーション測定値を、アクセスノードにおいて、受信することと、ＵＥによって取得されるロケーション測定値を、ロケーション測定値の第２のセットに含めることとを備え得る。少なくとも１つのアクセスノードは、上記アクセスノードを備え得、複数のＲＡＴのうちの少なくとも１つは、サービングＲＡＴを備える。少なくとも１つのアクセスノードは、上記アクセスノードを備えない。複数のＲＡＴのうちの少なくとも１つは、サービングＲＡＴを備えないであろう。方法は、ＵＥによって取得されるロケーション測定値に対する要求を、ＵＥに送ることをさらに備え得、ここにおいて、ＵＥによって取得されるロケーション測定値を受信することは、ＵＥによって取得されるロケーション測定値に対する要求を送ることに応じて行われる。ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。
【０００７】
[0007]本説明によれば、ワイヤレスネットワークにアクセスするＵＥにおける、ＵＥを位置特定する例となる方法は、ＵＥのロケーションを決定するためのロケーション測定値の第１のセットに対する要求を備える第１のメッセージを、ワイヤレスネットワーク内のロケーションサーバから受信することを備え、ここにおいて、ロケーション測定値の第１のセットは、複数の無線アクセス技術（ＲＡＴ）に属する信号の測定値を備え、複数のＲＡＴは、ＵＥにサービス提供するサービングＲＡＴを含み、複数のＲＡＴのうちのどのＲＡＴがサービングＲＡＴを備えるかは、ロケーションサーバにとって未知である。方法は、ＵＥのロケーションを決定するためのロケーション測定値の第２のセットを取得することをさらに備え、ここにおいて、ロケーション測定値の第２のセットは、ロケーション測定値の第１のセットのサブセットを備え、ロケーション測定値の第２のセットは、サービングＲＡＴに属する信号の測定値を含む。方法はまた、第２のメッセージをロケーションサーバに送ることを備え、ここで、第２のメッセージは、ロケーション測定値の第２のセットを備える。
【０００８】
[0008]方法の代替的な実施形態は、以下の特徴のうちの１つまたは複数を含み得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。第１のメッセージおよび第２のメッセージは、ＬＴＥ測位プロトコル（ＬＰＰ）、ＮＲ測位プロトコル（ＮＰＰ）、または両方のためのメッセージを備え得る。ロケーション測定値の第２のセットを取得することは、複数のＲＡＴのうちの少なくとも１つを使用して少なくとも１つのアクセスノードによって送信された信号のロケーション測定値の第３のセットを取得することと、ロケーション測定値の第３のセットを、ロケーション測定値の第２のセットに含めることとを備え得る。ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡＯＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。少なくとも１つのアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。複数のＲＡＴのうちの少なくとも１つは、サービングＲＡＴを備え得る。少なくとも１つのアクセスノードは、ＵＥのためのサービングｇＮＢまたはサービングｎｇ−ｅＮＢを備える。複数のＲＡＴのうちの少なくとも１つは、サービングＲＡＴとは異なり得る。
【０００９】
[0009]本説明によれば、ワイヤレスネットワークにおいてＵＥを位置特定するための例となるサーバは、通信インターフェースと、メモリと、これらメモリおよび通信インターフェースと通信可能に結合されている１つまたは複数の処理ユニットとを備える。１つまたは複数の処理ユニットは、ＵＥのロケーションを決定するためのロケーション測定値の第１のセットに対する要求を備える第１のメッセージを、ワイヤレスエンティティに通信インターフェースを介して送ることをサーバに行わせるように構成される。ロケーション測定値の第１のセットは、複数の無線アクセス技術（ＲＡＴ）に属する信号の測定値を備え、複数のＲＡＴは、ＵＥにサービス提供するサービングＲＡＴを含み、複数のＲＡＴのうちのどのＲＡＴがサービングＲＡＴを備えるかは、サーバにとって未知である。１つまたは複数の処理ユニットは、ワイヤレスエンティティから第２のメッセージを、通信インターフェースを介して、受信することをサーバに行わせるようにさらに構成され、ここで、第２のメッセージは、ＵＥのロケーションを決定するためのロケーション測定値の第２のセットを備える。ロケーション測定値の第２のセットは、ロケーション測定値の第１のセットのサブセットを備え、ロケーション測定値の第２のセットは、サービングＲＡＴに属する信号の測定値を含む。１つまたは複数の処理ユニットはまた、ロケーション測定値の第２のセットに基づいてＵＥのロケーションを決定することをサーバに行わせるように構成される。
【００１０】
[0010]サーバの代替的な実施形態はまた、以下の特徴のうちの１つまたは複数を含み得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。ワイヤレスエンティティは、サービングＲＡＴのワイヤレスネットワークのための第１のアクセスノードを備え得る。第１のアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。第１のアクセスノードは、ＵＥのためのサービングｇＮＢまたはサービングｎｇ−ｅＮＢを備え得る。第１のメッセージおよび第２のメッセージは、ＮＲ測位プロトコルＡ（ＮＲＰＰａ）のためのメッセージを備え得る。ロケーション測定値の第２のセットは、サービングＲＡＴを使用してＵＥによって送信された信号の、第１のアクセスノードによって取得されるロケーション測定値を備え得る。ロケーション測定値の第２のセットは、サービングＲＡＴを使用して第１のアクセスノードによって送信された信号の、ＵＥによって取得されるロケーション測定値を備え得、ＵＥによって取得されるロケーション測定値は、ＵＥによって第１のアクセスノードに送られ得る。ロケーション測定値の第２のセットは、複数のＲＡＴのうちの少なくとも１つを使用して第２のアクセスノードによって送信された信号の、ＵＥによって取得されるロケーション測定値を備え得、第２のアクセスノードは、第１のアクセスノードとは異なり得、ＵＥによって取得されるロケーション測定値は、ＵＥによって第１のアクセスノードに送られ得る。複数のＲＡＴのうちの少なくとも１つは、サービングＲＡＴとは異なり得る。ワイヤレスエンティティは、ＵＥを備え得る。第１のメッセージおよび第２のメッセージは、ＬＴＥ測位プロトコル（ＬＰＰ）、ＮＲ測位プロトコル（ＮＰＰ）、または両方のためのメッセージを備え得る。ロケーション測定値の第２のセットは、サービングＲＡＴを使用して第１のアクセスノードによって送信された信号の、ＵＥによって取得されるロケーション測定値を備え得る。ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。第１のアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。第１のアクセスノードは、ＵＥのためのサービングｇＮＢまたはサービングｎｇ−ｅＮＢを備え得る。��ケーション測定値の第２のセットは、サービングＲＡＴを使用して複数のアクセスノードによって送信された信号の、ＵＥによって取得されるロケーション測定値を備え得る。ＵＥによって取得されるロケーション測定値は、到着時間（ＴＯＡ）、基準信号時間差（ＲＳＴＤ）、またはそれらの何らかの組合せのうちの少なくとも１つを備える。ロケーション測定値の第２のセットは、複数のＲＡＴのうちの少なくとも１つを使用して複数のアクセスノードによって送信された信号の、ＵＥによって取得されるロケーション測定値を備え得、ここにおいて、複数のＲＡＴのうちの少なくとも１つは、サービングＲＡＴとは異なる。
【００１１】
[0011]本説明によれば、ワイヤレスネットワークにおいてユーザ機器（ＵＥ）を位置特定するための例となるアクセスノードは、通信インターフェースと、メモリと、これらメモリおよび通信インターフェースと通信可能に結合されている１つまたは複数の処理ユニットとを備える。１つまたは複数の処理ユニットは、ＵＥのロケーションを決定するためのロケーション測定値の第１のセットに対する要求を備える第１のメッセージを、ワイヤレスネットワーク内のロケーションサーバから通信インターフェースを介して、受信することをアクセスノードに行わせるように構成される。ロケーション測定値の第１のセットは、複数の無線アクセス技術（ＲＡＴ）に属する信号の測定値を備え、複数のＲＡＴは、ＵＥにサービス提供するサービングＲＡＴを備え、複数のＲＡＴのうちのどのＲＡＴがサービングＲＡＴを備えるかは、ロケーションサーバにとって未知であり、アクセスノードは、サービングＲＡＴのアクセスノードである。１つまたは複数の処理ユニットは、ＵＥのロケーションを決定するためのロケーション測定値の第２のセットを取得することをアクセスノードに行わせるようにさらに構成され、ロケーション測定値の第２のセットは、ロケーション測定値の第１のセットのサブセットを備え、ロケーション測定値の第２のセットは、サービングＲＡＴに属する信号の測定値を含む。１つまたは複数の処理ユニットはまた、通信インターフェースを介して第２のメッセージをロケーションサーバに送ることをアクセスノードに行わせるように構成され、第２のメッセージは、ロケーション測定値の第２のセットを備える。
【００１２】
[0012]アクセスノードの代替的な実施形態はまた、以下の特徴のうちの１つまたは複数を備え得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備え得る。アクセスノードは、ＵＥのためのサービングｇＮＢまたはサービングｎｇ−ｅＮＢであり得る。第１のメッセージおよび第２のメッセージは、ＮＲ測位プロトコルＡ（ＮＲＰＰａ）のためのメッセージを備え得る。１つまたは複数の処理ユニットは、少なくとも部分的に、ＵＥによって送信されたサービングＲＡＴのための信号のロケーション測定値の第３のセットを取得することと、ロケーション測定値の第３のセットを、ロケーション測定値の第２のセットに含めることとによって、ロケーション測定値の第２のセットを取得することをアクセスノードに行わせるように構成され得る。ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。１つまたは複数の処理ユニットは、少なくとも部分的に、複数のＲＡＴのうちの少なくとも１つを使用して少なくとも１つのアクセスノードによって送信された信号の、ＵＥによって取得されるロケーション測定値を、アクセスノードにおいて、受信することと、ＵＥによって取得されるロケーション測定値を、ロケーション測定値の第２のセットに含めることとによって、ロケーション測定値の第２のセットを取得することをアクセスノードに行わせるように構成され得る。少なくとも１つのアクセスノードは、上記アクセスノードを備え得、複数のＲＡＴのうちの少なくとも１つは、サービングＲＡＴを備える。少なくとも１つのアクセスノードは、上記アクセスノードを含まなくてもよい。複数のＲＡＴのうちの少なくとも１つは、サービングＲＡＴを備えないであろう。１つまたは複数の処理ユニットは、ＵＥによって取得されるロケーション測定値に対する要求を、ＵＥに送ることをアクセスノードに行わせるようにさらに構成され得、ここにおいて、ＵＥによって取得されるロケーション測定値を受信することは、ＵＥによって取得されるロケーション測定値に対する要求を送ることに応じて行われる。ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らか��組合せのうちの少なくとも１つを備える。
【００１３】
[0013]本開示によれば、例となるＵＥは、ワイヤレス通信インターフェースと、メモリと、これらメモリおよび通信インターフェースと通信可能に結合されている１つまたは複数の処理ユニットとを備える。１つまたは複数の処理ユニットは、ＵＥのロケーションを決定するためのロケーション測定値の第１のセットに対する要求を備える第１のメッセージを、ワイヤレスネットワーク内のロケーションサーバからワイヤレス通信インターフェースを介して、受信することをＵＥに行わせるように構成され得る。ロケーション測定値の第１のセットは、複数の無線アクセス技術（ＲＡＴ）に属する信号の測定値を備え、複数のＲＡＴは、ＵＥにサービス提供するサービングＲＡＴを含み、複数のＲＡＴのうちのどのＲＡＴがサービングＲＡＴを備えるかは、ロケーションサーバにとって未知である。１つまたは複数の処理ユニットは、ＵＥのロケーションを決定するためのロケーション測定値の第２のセットを取得することをＵＥに行わせるようにさらに構成され得る。ロケーション測定値の第２のセットは、ロケーション測定値の第１のセットのサブセットを備え、ロケーション測定値の第２のセットは、サービングＲＡＴに属する信号の測定値を含む。１つまたは複数の処理ユニットは、ワイヤレス通信インターフェースを介して第２のメッセージをロケーションサーバに送ることをＵＥに行わせるようにさらに構成され得、第２のメッセージは、ロケーション測定値の第２のセットを備える。
【００１４】
[0014]ＵＥの代替的な実施形態はまた、以下の特徴のうちの１つまたは複数を含み得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。第１のメッセージおよび第２のメッセージは、ＬＴＥ測位プロトコル（ＬＰＰ）、ＮＲ測位プロトコル（ＮＰＰ）、または両方のためのメッセージを備え得る。１つまたは複数の処理ユニットは、少なくとも部分的に、複数のＲＡＴのうちの少なくとも１つを使用して少なくとも１つのアクセスノードによって送信された信号のロケーション測定値の第３のセットを取得することと、ロケーション測定値の第３のセットを、ロケーション測定値の第２のセットに含めることとによって、ロケーション測定値の第２のセットを取得することをＵＥに行わせるように構成され得る。ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡＯＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。少なくとも１つのアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。複数のＲＡＴのうちの少なくとも１つは、サービングＲＡＴを備え得る。少なくとも１つのアクセスノードは、ＵＥのためのサービングｇＮＢまたはサービングｎｇ−ｅＮＢを備え得る。複数のＲＡＴのうちの少なくとも１つは、サービングＲＡＴとは異なり得る。
【００１５】
[0015]本説明によれば、ＵＥを位置特定するための別の例となるデバイスは、ＵＥのロケーションを決定するためのロケーション測定値の第１のセットに対する要求を備える第１のメッセージを、ワイヤレスエンティティに送るための手段を備え、ここで、ロケーション測定値の第１のセットは、複数の無線アクセス技術（ＲＡＴ）に属する信号の測定値を備え、複数のＲＡＴは、ＵＥにサービス提供するサービングＲＡＴを含み、複数のＲＡＴのうちのどのＲＡＴがサービングＲＡＴを備えるかは、デバイスにとって未知である。例となるデバイスは、ワイヤレスエンティティから第２のメッセージを受信するための手段をさらに備え、ここで、第２のメッセージは、ＵＥのロケーションを決定するためのロケーション測定値の第２のセットを備え、ロケーション測定値の第２のセットは、ロケーション測定値の第１のセットのサブセットを備え、ロケーション測定値の第２のセットは、サービングＲＡＴに属する信号の測定値を含む。例となるデバイスはまた、ロケーション測定値の第２のセットに基づいてＵＥのロケーションを決定するための手段を備える。
【００１６】
[0016]デバイスの代替的な実施形態はまた、以下の特徴のうちの１つまたは複数を含み得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。ワイヤレスエンティティは、サービングＲＡＴのワイヤレスネットワークのための第１のアクセスノードを備え得る。第１のアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。第１のアクセスノードは、ＵＥのためのサービングｇＮＢまたはサービングｎｇ−ｅＮＢを備え得る。第１のメッセージおよび第２のメッセージは、ＮＲ測位プロトコルＡ（ＮＲＰＰａ）のためのメッセージを備え得る。ロケーション測定値の第２のセットは、サービングＲＡＴを使用してＵＥによって送信された信号の、第１のアクセスノードによって取得されるロケーション測定値を備え得る。第１のロケーション測定値によって取得されるアクセスノードは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。ロケーション測定値の第２のセットは、サービングＲＡＴを使用して第１のアクセスノードによって送信された信号の、ＵＥによって取得されるロケーション測定値を備え得、ＵＥによって取得されるロケーション測定値は、ＵＥによって第１のアクセスノードに送られ得る。ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、またはそれらの何らかの組合せのうちの少なくとも１つを備え得る。ロケーション測定値の第２のセットは、複数のＲＡＴのうちの少なくとも１つを使用して第２のアクセスノードによって送信された信号の、ＵＥによって取得されるロケーション測定値を備え、第２のアクセスノードは、第１のアクセスノードとは異なり得、ＵＥによって取得されるロケーション測定値は、ＵＥによって第１のアクセスノードに送られ得る。複数のＲＡＴのうちの少なくとも１つは、サービングＲＡＴとは異なり得る。ワイヤレスエンティティは、ＵＥを備え得る。第１のメッセージおよび第２のメッセージは、ＬＴＥ測位プロトコル（ＬＰＰ）、ＮＲ測位プロトコル（ＮＰＰ）、または両方のためのメッセージを備え得る。ロケーション測定値の第２のセットは、サービングＲＡＴを使用して第１のアクセスノードによって送信された信号の、ＵＥによって取得されるロケーション測定値を備え得る。ＵＥによって取得されるロケーション測定値は、受信信号強度インジケーション（ＲＳＳＩ）、基準信号受信電��（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。第１のアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。第１のアクセスノードは、ＵＥのためのサービングｇＮＢまたはサービングｎｇ−ｅＮＢを備え得る。ロケーション測定値の第２のセットは、サービングＲＡＴを使用して複数のアクセスノードによって送信された信号の、ＵＥによって取得されるロケーション測定値を備え得る。ＵＥによって取得されるロケーション測定値は、到着時間（ＴＯＡ）、基準信号時間差（ＲＳＴＤ）、またはそれらの何らかの組合せのうちの少なくとも１つを備え得る。ロケーション測定値の第２のセットは、複数のＲＡＴのうちの少なくとも１つを使用して複数のアクセスノードによって送信された信号の、ＵＥによって取得されるロケーション測定値を備え得、ここにおいて、複数のＲＡＴのうちの少なくとも１つは、サービングＲＡＴとは異なる。
【００１７】
[0017]本説明によれば、ユーザ機器ＵＥを位置特定するための別の例となるデバイスは、ＵＥのロケーションを決定するためのロケーション測定値の第１のセットに対する要求を備える第１のメッセージを、ワイヤレスネットワーク内のロケーションサーバから受信するための手段を備え、ここで、ロケーション測定値の第１のセットは、複数の無線アクセス技術（ＲＡＴ）に属する信号の測定値を備え、複数のＲＡＴは、ＵＥにサービス提供するサービングＲＡＴを備え、複数のＲＡＴのうちのどのＲＡＴがサービングＲＡＴを備えるかは、ロケーションサーバにとって未知であり、デバイスは、サービングＲＡＴのアクセスノードである。デバイスは、ＵＥのロケーションを決定するためのロケーション測定値の第２のセットを取得するための手段をさらに備え、ここで、ロケーション測定値の第２のセットは、ロケーション測定値の第１のセットのサブセットを備え、ロケーション測定値の第２のセットは、サービングＲＡＴに属する信号の測定値を含む。デバイスはまた、第２のメッセージをロケーションサーバに送るための手段を備え、第２のメッセージは、ロケーション測定値の第２のセットを備える。
【００１８】
[0018]デバイスの代替的な実施形態はまた、以下の特徴のうちの１つまたは複数を備え得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。デバイスは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能を備え得る。デバイスは、ＵＥのためのサービングｇＮＢまたはサービングｎｇ−ｅＮＢであり得る。第１のメッセージおよび第２のメッセージは、ＮＲ測位プロトコルＡ（ＮＲＰＰａ）のためのメッセージを備え得る。ロケーション測定値の第２のセットを取得するための手段は、ＵＥによって送信されたサービングＲＡＴのための信号のロケーション測定値の第３のセットを取得するための手段と、ロケーション測定値の第３のセットを、ロケーション測定値の第２のセットに含めるための手段とを備え得る。ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。ロケーション測定値の第２のセットを取得するための手段は、複数のＲＡＴのうちの少なくとも１つを使用して少なくとも１つのアクセスノードによって送信された信号の、ＵＥによって取得されるロケーション測定値を、デバイスにおいて、受信するための手段と、ＵＥによって取得されるロケーション測定値を、ロケーション測定値の第２のセットに含めるための手段とを備え得る。少なくとも１つのアクセスノードはデバイスを備え、複数のＲＡＴのうちの少なくとも１つは、サービングＲＡＴを備え得る。少なくとも１つのアクセスノードは、デバイスを備えない。複数のＲＡＴのうちの少なくとも１つは、サービングＲＡＴを備えないであろう。デバイスは、ＵＥによって取得されるロケーション測定値に対する要求を、ＵＥに送るための手段をさらに備え得、ここにおいて、ＵＥによって取得されるロケーション測定値を受信することは、ＵＥによって取得されるロケーション測定値に対する要求を送ることに応じて行われる。ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。
【００１９】
[0019]本説明によれば、別の例となるＵＥは、ＵＥのロケーションを決定するためのロケーション測定値の第１のセットに対する要求を備える第１のメッセージを、ワイヤレスネットワーク内のロケーションサーバから受信するための手段を備え、ここで、ロケーション測定値の第１のセットは、複数の無線アクセス技術（ＲＡＴ）に属する信号の測定値を備え、複数のＲＡＴは、ＵＥにサービス提供するサービングＲＡＴを含み、複数のＲＡＴのうちのどのＲＡＴがサービングＲＡＴを備えるかは、ロケーションサーバにとって未知である。ＵＥは、ＵＥのロケーションを決定するためのロケーション測定値の第２のセットを取得するための手段をさらに備え、ここで、ロケーション測定値の第２のセットは、ロケーション測定値の第１のセットのサブセットを備え、ロケーション測定値の第２のセットは、サービングＲＡＴに属する信号の測定値を含む。ＵＥは、第２のメッセージをロケーションサーバに送るための手段をさらに備え、第２のメッセージは、ロケーション測定値の第２のセットを備える。
【００２０】
[0020]ＵＥの代替的な実施形態はまた、以下の特徴のうちの１つまたは複数を含み得る。複数のＲＡＴは、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを備え得る。第１のメッセージおよび第２のメッセージは、ＬＴＥ測位プロトコル（ＬＰＰ）、ＮＲ測位プロトコル（ＮＰＰ）、または両方のためのメッセージを備え得る。ロケーション測定値の第２のセットを取得するための手段は、複数のＲＡＴのうちの少なくとも１つを使用して少なくとも１つのアクセスノードによって送信された信号のロケーション測定値の第３のセットを取得するための手段と、ロケーション測定値の第３のセットを、ロケーション測定値の第２のセットに含めるための手段とを備え得る。ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡＯＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。少なくとも１つのアクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、またはブルートゥースＲＡＴのためのＷＬＡＮを備え得る。複数のＲＡＴのうちの少なくとも１つは、サービングＲＡＴを備え得る。少なくとも１つのアクセスノードは、ＵＥのためのサービングｇＮＢまたはサービングｎｇ−ｅＮＢを備え得る。複数のＲＡＴのうちの少なくとも１つは、サービングＲＡＴとは異なり得る。
【図面の簡単な説明】
【００２１】
【図１】[0021]図１は、ある実施形態による、モバイルデバイスの位置を決定するために５Ｇネットワークを利用し得る例となる通信システムの図である。
【図２】[0022]図２は、本説明による、拡張セルＩＤ（ＥＣＩＤ）測位のための一般的なプロシージャの実施形態を例示する信号フロー図である。
【図３】[0023]図３は、本説明による、ＯＴＤＯＡ測位のための一般的なプロシージャの実施形態を例示する信号フロー図である。
【図４】[0024]図４は、本説明による、ＥＣＩＤ測位のための一般的なプロシージャの別の実施形態を示す信号フロー図である。
【図５】[0025]図５は、ある実施形態による、ワイヤレスネットワーク内のロケーションサーバにおいてＵＥを位置特定する方法を例示するフロー図である。
【図６】[0026]図６は、ある実施形態による、ワイヤレスネットワークのためのアクセスノードにおいてＵＥを位置特定する方法を例示するフロー図である。
【図７】[0027]図７は、ある実施形態による、ロケーション情報を提供するためのＵＥにおける方法を例示するフロー図である。
【図８】[0028]図８は、ＵＥの実施形態のブロック図である。
【図９】[0029]図９は、コンピュータシステムの実施形態のブロック図である。
【図１０】[0030]図１０は、基地局の実施形態のブロック図である。
【詳細な説明】
【００２２】
[0031]特定の例となるインプリメンテーションにしたがって、様々な図面における同様の参照記号は、同様の要素を示す。加えて、１つの要素の最初の番号に文字またはハイフンと次の番号が続くことで、その要素の複数のインスタンスを示し得る。例えば、要素１１０の複数のインスタンスは、１１０−１、１１０−２、１１０−３、等または１１０ａ、１１０ｂ、１１０ｃ、等と示され得る。最初の番号だけを使用してそのような要素を参照するとき、その要素の任意のインスタンスが理解されるべきである（例えば、前の例における要素１１０は、要素１１０−１、１１０−２、および１１０−３を、または要素１１０ａ、１１０ｂ、および１１０ｃを参照するであろう）。
【００２３】
[0032]ワイヤレスネットワークにアクセスしているモバイルデバイスのロケーションを取得することは、例えば、緊急呼、パーソナルナビゲーション、資産追跡、友人または家族メンバーの位置特定、等を含む多くのアプリケーションに有用であり得る。５Ｇネットワークでは、ＵＥが、５Ｇコアネットワーク（５ＧＣＮ）内の同じサービングＡＭＦ（アクセスおよびモビリティ管理機能）に依然としてアクセスしながら、ハンドオーバ、セル変更、またはＲＡＴ変更を介して、異なるアクセスタイプ間で移動することが可能になるであろう。５ＧＣＮについて３ＧＰＰが現在定義しているアクセスタイプには、ｇＮＢとも呼ばれる新無線（ＮＲ）ノードＢによってサポートされるＮＲ、次世代発展型ノードＢ（ｎｇ−ｅＮＢ）によってサポートされるＬＴＥまたは発展型ＬＴＥ（ｅＬＴＥ）、および信頼できないまたは信頼できるワイヤレスローカルエリアネットワーク（ＷＬＡＮ）によってサポートされるＷｉＦｉ（Ｗｉ−Ｆｉとも呼ばれる）が含まれる。しかし、将来的は、他のアクセスタイプ（例えば、ブルートゥース）が存在し得る。同じサービングＡＭＦを保つ能力は、５Ｇ制御プレーンロケーションソリューションが異なるＲＡＴ（例えば、ＬＴＥ、ＮＲ、ＷｉＦｉ）のためのロケーションをサポートすることを可能にし得、ＵＥがロケーションセッション中にＲＡＴを変更することを可能にし得る。しかしながら、これは、５ＧＣＮ（例えば、ロケーション管理機能（ＬＭＦ））内のロケーションサーバがＵＥのための現在のサービングＲＡＴを知らない可能性があることおよび／またはＵＥが測位プロシージャ中にサービングＲＡＴを変更し得ることも意味し得る。ＵＥによるロングタームエボリューション（ＬＴＥ）アクセスについての３ＧＰＰ技術仕様書（ＴＳ）２３．２７１において定義されている制御プレーンロケーションソリューションは、これらのイベントのどちらも完全にはサポートすることができず、代わりに、ロケーションサーバ（例えば、拡張サービングモバイルロケーションセンタ（Ｅ−ＳＭＬＣ））は、ロケーションセッションを再スタートするか、またはそれを放棄する必要があり得る。ゆえに、未知のサービングＲＡＴを有するＵＥの場合および／またはロケーションセッション中にＵＥがＲＡＴを変更する場合に、５ＧＣＮにおいて完全なロケーションサポートを可能にすることが有利であり得る。
【００２４】
[0033]本明細書で説明される実施形態は、複数のＲＡＴをサポートする５Ｇのための共通の（または一般的な）測位プロシージャを提供する。例えば、一般的なネットワークベースの拡張セルＩＤ（ＥＣＩＤ）プロシージャは、サービングｇＮＢにおけるＮＲアクセス、サービングｎｇ−ｅＮＢにおけるＬＴＥアクセス、およびサービング信頼できるまたは信頼できないＷＬＡＮにおけるＷｉＦｉアクセスに適用可能である（または適用可能であり得る）、３ＧＰＰ ＴＳ３８．４５５において定義されているＮＲ測位プロトコルＡ（ＮＲＰＰａ）によってサポートされ得る。同様に、一般的なＵＥ支援型の／ＵＥベースの観測到着時間差（ＯＴＤＯＡ）プロシージャは、サービングｇＮＢ、サービングｎｇ−ｅＮＢ、またはサービングＷＬＡＮを備えたＵＥに適用可能である、ならびに、ＯＴＤＯＡのための隣接および基準セルが、ｇＮＢ、ｎｇ−ｅＮＢ、および発展型ノードＢ（ｅＮＢ）の混合に関連付けられることを可能にするＬＴＥ測位プロトコル（ＬＰＰ）（またはＮＰＰもしくはＮＲＰＰプロトコルと呼ばれ得る将来の新無線測位プロトコル）によってサポートされ得る。これらの一般的なプロシージャは、ＮＲＰＰａを使用したネットワークベースの測位の場合には異なるＲＡＴのためのアクセスノードによるサポートを、ＬＰＰまたはＮＰＰを使用したＵＥ支援型のおよびＵＥベースの測位の場合には異なるサービングＲＡＴを有するＵＥによるサポートを可能にし得るメッセージおよびパラメータの共通のセットを使用し得る。
【００２５】
[0034]本明細書で使用される場合、「未知の」サービングＲＡＴを有するＵＥ、ロケーションサーバにとって「未知の」サービングＲＡＴ、または同様の記述の文脈における「未知の」という用語は、ロケーションサーバが、（例えば、ＵＥのためのサービングＲＡＴとして機能する可能性があり得る複数のＲＡＴのうちの）どのＲＡＴがＵＥのための現在のサービングＲＡＴであるかを識別する情報を持っていないことを意味する。当業者であれば、そのようなシナリオが様々な状況で起こり得ることを認識するであろう。
【００２６】
[0035]３ＧＰＰ ＴＳ３６．３５５において定義されているＬＴＥ測位プロトコル（ＬＰＰ）、オープンモバイルアライアンス（ＯＭＡ）によって定義されているＬＰＰ拡張（ＬＰＰｅ）プロトコル、および３ＧＰＰ ＴＳ３６．４５５において定義されているＬＰＰ Ａ（ＬＰＰａ）プロトコルのような現在の測位プロトコルでは、異なるＲＡＴについて地上測位をサポートするために、別個の関連するプロシージャ、メッセージ、およびパラメータを用いて、異なる位置決め方法を定義することは標準的である。例えば、ＵＥ支援型のＥＣＩＤの場合、ＬＰＰおよびＬＰＰｅは、モバイル通信のためのグローバルシステム（ＧＳＭ（登録商標））アクセス、ユニバーサルモバイル電気通信システム（ＵＭＴＳ）アクセス、ＬＴＥアクセス、およびＷｉＦｉアクセスのための異なるＥＣＩＤ位置決め方法をサポートする。いずれの場合にも、特定の位置決め方法は、たった１つのＲＡＴ（例えば、ＧＳＭ、ＵＭＴＳ、またはＬＴＥ）については（例えば、ＥＣＩＤを使用する）測位をサポートするが、２つ以上のＲＡＴについてはＵＥの測位をサポートしないであろう。これは、ロケーションサーバ（例えば、Ｅ−ＳＭＬＣまたはセキュアユーザプレーンロケーション（ＳＵＰＬ）ロケーションプラットフォーム（ＳＬＰ））が、正確な対応するタイプのＥＣＩＤ位置決め方法を呼び出すために、どのＲＡＴにＵＥがアクセスしているかを知らなければならないことを意味する。同じことが、ＧＳＭアクセス（拡張観測時間差（Ｅ−ＯＴＤ）として知られている）、ＵＭＴＳアクセス（ＯＴＤＯＡとして知られている）、およびＬＴＥアクセス（ＯＴＤＯＡとしても知られているが、ＵＭＴＳのためのＯＴＤＯＡとは異なる）のための異なる位置決め方法が存在するＯＴＤＯＡのサポートにも当てはまる。この場合も同様に、ロケーションサーバ（例えば、Ｅ−ＳＭＬＣまたはＳＬＰ）は、正確なＯＴＤＯＡ位置決め方法を呼び出し、適切な基準セルおよび隣接セルを割り当て、ＵＥによるＯＴＤＯＡ測定のために対応する支援データをＵＥに提供するために、ＵＥがアクセスしているＲＡＴを知る必要がある。しかしながら、ＵＥによる５ＧＣＮへのアクセスについて、ロケーションサーバ（例えば、ＬＭＦ）は典型的に、場合によってはロケーションセッションの開始時を除いて、ＵＥのためのサービングＲＡＴを知らないであろう。加えて、いくつかの５Ｇネットワークは、同じローカルエリアにおいてｎｇ−ｅＮＢ、ｇＮＢ、および／またはＷＬＡＮの混合を用い得るが、これらの一部だけが、単一のＲＡＴだけに制限された測位方法によるＵＥの測位に使用可能であり得る。
【００２７】
[0036]実施形態によれば、これらの問題は、いくつかの異なるＲＡＴのうちの任意の１つ（または複数）によってサービス提供されるターゲットＵＥの測位を可能にし、異なるＲＡＴに属するアクセスノードのＵＥによる測定および／または異なるＲＡＴのためのアクセスノードによるＵＥの測定を可能にする一般的な位置決め方法を使用することによって克服され得る。一般的な位置決め方法を用いて、いくつかの異なるＲＡＴに適用可能であり、異なるＲＡＴのための共通の一般的な位置決め方法の異なる変形をサポートするプロシージャ、メッセージ、およびパラメータの共通のセットが定義され得る。複数のＲＡＴのためのロケーションサポートを可能にすることに加えて、そのような一般的な位置決め方法は、複数のＲＡＴに対してプロシージャ、メッセージ、およびパラメータの同じセットを再使用することによってインプリメンテーションを低減し得る。これのいくつかの特定の例を以下で説明する。
【００２８】
[0037]モバイルデバイスのロケーションをサポートするための測位基準信号（ＰＲＳ）の送信が本明細書で説明されるが、セル固有基準信号（ＣＲＳ）またはトラッキング基準信号（ＴＲＳ）のような他のタイプの信号の送信が、（例えば、５Ｇ ＮＲのような）いくつかのワイヤレス技術のために代わりに使用され得る。その結果、ＰＲＳ送信のためのロケーション測定値をサポートするために本明細書で例示される方法は、ＣＲＳまたはＴＲＳのような測位のために使用される他の信号の送信に等しく適用可能であり得る。
【００２９】
[0038]図１は、ある実施形態による、通信システム１００の図を示す。通信システム１００は、アクセスノード１１０、１１４、１１６および／またはロケーションサーバ（ＬＭＦ１２０）を使用して１つまたは複数の測位方法をインプリメントすることによってＵＥ１０５のロケーションを決定するように構成され得る。ここで、通信システム１００は、ＵＥ１０５と、次世代（ＮＧ）無線アクセスネットワーク（ＲＡＮ）（ＮＧ−ＲＡＮ）１３５および５Ｇコアネットワーク（５ＧＣＮ）１４０を備える５Ｇネットワークの構成要素とを備える。５Ｇネットワークは、ＮＲネットワークとも呼ばれ得、ＮＧ−ＲＡＮ１３５は、５Ｇ ＲＡＮまたはＮＲ ＲＡＮと呼ばれ得、５ＧＣＮ１４０は、ＮＧコアネットワークと呼ばれ得る。ＮＧ−ＲＡＮおよび５ＧＣＮの標準化は、３ＧＰＰにおいて現在進行中である。したがって、ＮＧ−ＲＡＮ１３５および５ＧＣＮ１４０は、３ＧＰＰからの５Ｇサポートについての現在または将来の規格に準拠し得る。通信システム１００は、ＧＰＳ、ＧＬＯＮＡＳＳ、ガリレオ、もしくはＢｅｉｄｏｕのような全地球的航法衛星システム（ＧＮＳＳ）、またはＩＲＮＳＳ、静止衛星補強型衛星航法システム（ＥＧＮＯＳ）、もしくはワイドエリアオーグメンテーションシステム（ＷＡＡＳ）のような何らかの他の局所的なもしくは地域の衛星測位システム（ＳＰＳ）に対して宇宙ビークル（ＳＶ）１９０からの情報をさらに利用し得る。通信システム１００の追加の構成要素を以下で説明する。通信システム１００は、追加または代替的な構成要素を含み得る。
【００３０】
[0039]図１が、様々な構成要素の一般化された図を提供するにすぎず、それらのうちのいずれかまたはすべてが適宜利用され得、それらの各々が必要に応じて複製または省略され得ることは留意されるべきである。具体的には、１つのＵＥ１０５だけが例示されているが、多くの（例えば、数百、数千、数百万、等の）ＵＥが通信システム１００を利用し得ることが理解されるであろう。同様に、通信システム１００は、より多い（またはより少ない）数のＳＶ１９０、ｇＮＢ１１０、ｎｇ−ｅＮＢ１１４、ＷＬＡＮ１１６、ＡＭＦ１１５、外部クライアント１３０、および／または他の構成要素を含み得る。通信システム１００において様々な構成要素を接続している例示される接続には、追加の（中間）構成要素、直接的または間接的な物理および／またはワイヤレス接続、および／または追加のネットワークを含み得るデータおよびシグナリング接続が含まれる。さらに、構成要素は、所望の機能性に応じて、再配列、組み合わせ、分離、置換、および／または省略され得る。
【００３１】
[0040]ＵＥ１０５は、デバイス、モバイルデバイス、ワイヤレスデバイス、モバイル端末、端末、モバイル局（ＭＳ）、ＳＵＰＬ対応端末（ＳＥＴ）を備え得、および／またはそのような名称でまたは何らかの他の名称で呼ばれ得る。さらに、ＵＥ１０５は、携帯電話、スマートフォン、ラップトップ、タブレット、携帯情報端末（ＰＤＡ）、追跡デバイス、ナビゲーションデバイス、モノのインターネット（ＩｏＴ）デバイス、または何らかの他のポータブルもしくは可動のデバイスに対応し得る。典型的には、必須ではないが、ＵＥ１０５は、１つまたは複数のＲＡＴを使用する、例えば、ＧＳＭ、符号分割多元接続（ＣＤＭＡ）、広帯域ＣＤＭＡ（ＷＣＤＭＡ（登録商標））、ＬＴＥ、高速パケットデータ（ＨＲＰＤ）、ＩＥＥＥ８０２．１１ＷｉＦｉ（Ｗｉ−Ｆｉとも呼ばれる）、ブルートゥース（ＢＴ）、ＷｉＭＡＸ（Worldwide Interoperability for Microwave Access）、（例えば、ＮＧ−ＲＡＮ１３５および５ＧＣＮ１４０を使用する）５Ｇ新無線（ＮＲ）、等を使用する、ワイヤレス通信をサポートし得る。ＵＥ１０５はまた、例えば、デジタル加入者回線（ＤＳＬ）またはパケットケーブルを使用して他のネットワーク（例えば、インターネット）に接続し得るＷＬＡＮを使用するワイヤレス通信をサポートし得る。これらのＲＡＴのうちの１つまたは複数の使用は、ＵＥ１０５が（例えば、図１に示されていない５ＧＣＮ１４０の要素を介して、または場合によってはゲートウェイモバイルロケーションセンタ（ＧＭＬＣ）１２５を介して）外部クライアント１３０と通信することを可能にし、および／または、外部クライアント１３０が（例えば、ＧＭＬＣ１２５を介して）ＵＥ１０５に関するロケーション情報を受信することを可能にし得る。
【００３２】
[0041]ＵＥ１０５は、例えば、ユーザがオーディオ、ビデオ、および／またはデータＩ／Ｏデバイスならびに／あるいはボディセンサおよび別個のワイヤラインまたはワイヤレスモデムを用い得るパーソナルエリアネットワークにおいて複数のエンティティを含み得るか、または単一のエンティティを含み得る。ＵＥ１０５のロケーションの推定値は、ロケーション、ロケーション推定値、ロケーションフィックス、フィックス、位置、位置推定値、または位置フィックスと呼ばれ得、それは測地学的であり得、ゆえに、高度成分（例えば、海水面からの高さ、地表面、床面、または地下面からの高さまたは深さ）を含んでも含まなくてもよいＵＥ１０５のロケーション座標（例えば、緯度および経度）を提供する。代替的に、ＵＥ１０５のロケーションは、シビック（civic）ロケーションとして（例えば、郵便住所または特定の部屋もしくはフロアのような建物内の何らかの地点または狭いエリアの指定として）表され得る。ＵＥ１０５のロケーションはまた、ある程度の（some）確率または信頼レベル（例えば、６７％、９５％、等）でＵＥ１０５が位置すると予想される（測地学的にまたはシビック形式で定義される）エリアまたはボリュームとして表され得る。ＵＥ１０５のロケーションはさらに、相対的なロケーションであり得、それは、例えば、測地学的に、シビック用語（civic term）で、または地図、平面図、または建物プラン上に示される地点、エリア、またはボリュームへの参照によって定められ得る、既知のロケーションにある何らかの原点（origin）に対して定められた相対的なＸ、Ｙ（およびＺ）座標または距離および方向を備える。本明細書に含まれる説明では、ロケーションという用語の使用は、別途示されていない限り、これらの変形のうちの任意のものを備え得る。ＵＥのロケーションを計算するとき、ローカルのｘ座標、ｙ座標、場合によってはｚ座標を求め、次いで、必要に応じて、これらのローカル座標を（例えば、緯度、経度、および平均海面より上または下の高度について）絶対座標に変換することが一般的である。
【００３３】
[0042]図１に示されるＮＧ−ＲＡＮ１３５内の基地局（ＢＳ）は、ｇＮＢ１１０−１および１１０−２（本明細書ではまとめておよび総称的にｇＮＢ１１０と呼ばれる）を備える。ＮＧ−ＲＡＮ１３５内のｇＮＢ１１０のペアは、例えば、図１に示されるように直接的にまたは他のｇＮＢ１１０を介して間接的に、互いに接続され得る。５Ｇネットワークへのアクセスは、ＵＥ１０５とｇＮＢ１１０のうちの１つまたは複数との間のワイヤレス通信を介してＵＥ１０５に提供され、ｇＮＢは、５Ｇ ＮＲを使用してＵＥ１０５の代わりに５ＧＣＮ１４０へのワイヤレス通信アクセスを提供し得る。５Ｇ ＮＲ無線アクセスは、ＮＲ無線アクセスまたは５Ｇ無線アクセスとも呼ばれ得る。図１では、ＵＥ１０５のためのサービングｇＮＢは、ｇＮＢ１１０−１であると仮定されるが、他のｇＮＢ（例えば、ｇＮＢ１１０−２）は、ＵＥ１０５が別のロケーションに移動する場合にサービングｇＮＢとして機能し得、または、追加のスループットおよび帯域幅をＵＥ１０５に提供するためにセカンダリｇＮＢとして機能し得る。
【００３４】
[0043]図１に示されるＮＧ−ＲＡＮ１３５内の基地局（ＢＳ）は、同様にまたは代わりに、ｎｇ−ｅＮＢ１１４とも呼ばれる次世代発展型ノードＢを含み得る。ｎｇ−ｅＮＢ１１４は、例えば、直接的にまたは他のｇＮＢ１１０および／または他のｎｇ−ｅＮＢを介して間接的に、ＮＧ−ＲＡＮ１３５内の１つまたは複数のｇＮＢ１１０に接続され得る。ｎｇ−ｅＮＢ１１４は、ＵＥ１０５へのＬＴＥワイヤレスアクセスおよび／または発展型ＬＴＥ（ｅＬＴＥ）ワイヤレスアクセスを提供し得る。図１のいくつかのｇＮＢ１１０（例えば、ｇＮＢ１１０−２）および／またはｎｇ−ｅＮＢ１１４は、信号（例えば、ＰＲＳ信号）を送信し得るおよび／またはＵＥ１０５の測位を支援するために支援データをブロードキャストし得るが、ＵＥ１０５からまたは他のＵＥから信号を受信しないであろう測位専用ビーコンとして機能するように構成され得る。１つのｎｇ−ｅＮＢ１１４だけが図１に示されているが、いくつかの実施形態が複数のｎｇ−ｅＮＢ１１４を含み得ることに留意されたい。
【００３５】
[0044]通信システム１００はまた、（例えば、信頼できないＷＬＡＮ１１６の場合）５ＧＣＮ１４０内の非３ＧＰＰインターワーキング機能（Ｎ３ＩＷＦ）１５０に接続し得る１つまたは複数のＷＬＡＮ１１６を含み得る。例えば、ＷＬＡＮ１１６は、ＵＥ１０５のためのＩＥＥＥ８０２．１１ＷｉＦｉアクセスをサポートし得、１つまたは複数のＷｉＦｉアクセスポイント（ＡＰ）を備え得る。ここで、Ｎ３ＩＷＦ１５０は、ＡＭＦ１１５のような５ＧＣＮ１４０内の他の要素に接続し得る。いくつかの実施形態では、ＷＬＡＮ１１６は、ブルートゥースのような別のＲＡＴをサポートし得る。Ｎ３ＩＷＦ１５０は、５ＧＣＮ１４０内の他の要素へのＵＥ１０５による安全なアクセスのためのサポートを提供し得、および／または、ＷＬＡＮ１１６およびＵＥ１０５によって使用される１つまたは複数のプロトコルとＡＭＦ１１５のような５ＧＣＮ１４０の他の要素によって使用される１つまたは複数のプロトコルとのインターワーキングをサポートし得る。例えば、Ｎ３ＩＷＦ１５０は、ＵＥ１０５とのＩＰｓｅｃトンネル確立と、ＵＥ１０５とのＩＫＥｖ２／ＩＰｓｅｃプロトコルの終了と、それぞれ制御プレーンおよびユーザプレーンのための５ＧＣＮ１４０へのＮ２およびＮ３インターフェースの終了と、Ｎ１インターフェースを介したＵＥ１０５とＡＭＦ１１５との間でのアップリンクおよびダウンリンク制御プレーン非アクセス層（ＮＡＳ）シグナリングの中継とをサポートし得る。いくつかの他の実施形態では、ＷＬＡＮ１１６は、例えば、ＷＬＡＮ１１６が５ＧＣＮ１４０のための信頼できるＷＬＡＮである場合、Ｎ３ＩＷＦ１５０を介してではなく、５ＧＣＮ１４０内の要素（例えば、図１の破線によって示されるようにＡＭＦ１１５）に直接接続し得る。１つのＷＬＡＮ１１６だけが図１に示されているが、いくつかの実施形態が複数のＷＬＡＮ１１６を含み得ることに留意されたい。
【００３６】
[0045]本明細書で参照される場合、アクセスノードは、ＵＥ１０５とＡＭＦ１１５との間の通信を可能にする様々なネットワークエンティティのうちのいずれかを備え得る。これには、ｇＮＢ１１０、ｎｇ−ｅＮＢ１１４、ＷＬＡＮ１１６、および／または他のタイプのセルラ基地局が含まれ得る。しかしながら、本明細書で説明される機能性を提供するアクセスノードは、非セルラ技術を含み得る、図１に例示されていない様々なＲＡＴのうちの任意のものへの通信を可能にするエンティティを追加的にまたは代替的に含み得る。ゆえに、本明細書において以下で説明される実施形態で使用される場合、「アクセスノード」という用語は、ｇＮＢ１１０、ｎｇ−ｅＮＢ１１４、またはＷＬＡＮ１１６を含み得るが、必ずしもそれらに限定されない。
【００３７】
[0046]以下でより詳細に説明されるように、いくつかの実施形態では、ｇＮＢ１１０、ｎｇ−ｅＮＢ１１４、またはＷＬＡＮ１１６のようなアクセスノードは（単独でまたは通信システム１００の他のモジュール／ユニットと組み合わせて）、ＬＭＦ１２０から複数のＲＡＴのためのロケーション情報に対する要求を受信することに応答して、複数のＲＡＴのうちの１つについて測定値（例えば、ＵＥ１０５の測定値）を取得し、および／または複数のＲＡＴのうちの１つまたは複数を使用してアクセスノードに転送されるＵＥ１０５からの測定値を取得するように構成され得る。上述したように、図１は、それぞれ５Ｇ ＮＲ、ＬＴＥ、およびＷｉＦｉ通信プロトコルにしたがって通信するように構成されたアクセスノード１１０、１１４、および１１６を描写しているが、例えば、ＵＭＴＳ地上無線アクセスネットワーク（ＵＴＲＡＮ）のためのＷＣＤＭＡプロトコルを使用するノードＢ、発展型ＵＴＲＡＮ（Ｅ−ＵＴＲＡＮ）のためのＬＴＥプロトコルを使用するｅＮＢ、またはＷＬＡＮのためのブルートゥースプロトコルを使用するＢＴビーコンのような、他の通信プロトコルにしたがって通信するように構成されたアクセスノードが使用され得る。例えば、ＵＥ１０５へのＬＴＥワイヤレスアクセスを提供する４Ｇ発展型パケットシステム（ＥＰＳ）では、ＲＡＮは、ＬＴＥワイヤレスアクセスをサポートするｅＮＢを備える基地局を備え得るＥ−ＵＴＲＡＮを備え得る。ＥＰＳのためのコアネットワークは、発展型パケットコア（ＥＰＣ）を備え得る。次いで、ＥＰＳは、Ｅ−ＵＴＲＡＮおよびＥＰＣを備え得、ここでは、Ｅ−ＵＴＲＡＮは、図１のＮＧ−ＲＡＮ１３５に対応し、ＥＰＣは、５ＧＣＮ１４０に対応する。共通のまたは一般的な測位プロシージャを使用したＵＥ１０５測位について本明細書で説明される方法および技法は、そのような他のネットワークに適用可能であり得る。
【００３８】
[0047]ｇＮＢ１１０およびｎｇ−ｅＮＢ１１４は、測位機能性のためにＬＭＦ１２０と通信するＡＭＦ１１５と通信することができる。ＡＭＦ１１５は、第１のＲＡＴのアクセスノード１１０、１１４、または１１６から第２のＲＡＴのアクセスノード１１０、１１４、または１１６へのＵＥ１０５のハンドオーバおよびセル変更を含む、ＵＥ１０５のモビリティをサポートし得る。ＡＭＦ１１５はまた、ＵＥ１０５へのシグナリング接続と、場合によってはＵＥ１０５のためのデータおよび音声ベアラとをサポートすることに関与し得る。ＬＭＦ１２０は、ＵＥ１０５がＮＧ−ＲＡＮ１３５またはＷＬＡＮ１１６にアクセスするとき、ＵＥ１０５の測位をサポートし得、支援型ＧＮＳＳ（Ａ−ＧＮＳＳ）、ＯＴＤＯＡ、リアルタイムキネマティック（ＲＴＫ）、精密単独測位（ＰＰＰ）、差動ＧＮＳＳ（ＤＧＮＳＳ）、ＥＣＩＤ、ＯＴＤＯＡ、到来角（ＡＯＡ）、発射角（ＡＯＤ）、ＷＬＡＮ測位、および／または他の測位プロシージャおよび方法のようなＵＥ支援型の／ＵＥベースのおよび／またはネットワークベースのプロシージャ／方法を含む、位置決めプロシージャおよび方法をサポートし得る。ＬＭＦ１２０はまた、例えば、ＡＭＦ１１５からまたはＧＭＬＣ１２５から受信される、ＵＥ１０５に対するロケーションサービス要求を処理し得る。ＬＭＦ１２０は、ＡＭＦ１１５におよび／またはＧＭＬＣ１２５に接続され得る。ＬＭＦ１２０は、ロケーションマネージャ（ＬＭ）、ロケーション機能（ＬＦ）、コマーシャルＬＭＦ（ＣＬＭＦ）、または付加価値ＬＭＦ（ＶＬＭＦ）のような他の名称で呼ばれ得る。いくつかの実施形態では、ＬＭＦ１２０をインプリメントするノード／システムは、Ｅ−ＳＭＬＣまたはＳＬＰのような他のタイプのロケーションサポートモジュールを追加的にまたは代替的にインプリメントし得る。いくつかの実施形態では、（ＵＥ１０５のロケーションの決定を含む）測位機能性の少なくとも一部が（例えば、ｇＮＢ１１０、ｎｇ−ｅＮＢ１１４、および／またはＷＬＡＮ１１６のようなワイヤレスノードによって送信された信号についてＵＥ１０５によって取得される信号測定値を使用して、ならびに／あるいは、例えば、ＬＭＦ１２０によってＵＥ１０５に提供される支援データを使用して）ＵＥ１０５において実行され得ることに留意されたい。
【００３９】
[0048]ゲートウェイモバイルロケーションセンタ（ＧＭＬＣ）１２５は、外部クライアント１３０から受信されるＵＥ１０５に対するロケーション要求をサポートし得、ＡＭＦ１１５によってＬＭＦ１２０に転送するためにそのようなロケーション要求をＡＭＦ１１５に転送し得るか、またはそのロケーション要求をＬＭＦ１２０に直接転送し得る。（例えば、ＵＥ１０５についてのロケーション推定値を含む）ＬＭＦ１２０からのロケーション応答は、同様に、直接またはＡＭＦ１１５を介してＧＭＬＣ１２５に戻され得、次いで、ＧＭＬＣ１２５は、（例えば、ロケーション推定値を含む）このロケーション応答を外部クライアント１３０に戻し得る。ＧＭＬＣ１２５は、図１ではＡＭＦ１１５およびＬＭＦ１２０の両方に接続して示されているが、いくつかのインプリメンテーションでは、これらの接続のうちの１つだけが５ＧＣＮ１４０によってサポートされ得る。
【００４０】
[0049]図１にさらに例示されるように、ＬＭＦ１２０は、（ＮＰＰａとも呼ばれ得る）ＮＲＰＰａプロトコルを使用して、ｇＮＢ１１０とおよび／またはｎｇ−ｅＮＢ１１４と通信し得る。ＮＲＰＰａは、ＮＲＰＰａメッセージが、ＡＭＦ１１５を介して、ｇＮＢ１１０とＬＭＦ１２０との間でおよび／またはｎｇ−ｅＮＢ１１４とＬＭＦ１２０との間で転送される場合、ＬＰＰａプロトコルと同じであり得るか、それに類似し得るか、またはその拡張であり得る。図１にさらに例示されるように、ＬＭＦ１２０およびＵＥ１０５は、ＬＰＰプロトコルを使用して通信し得る。ＬＭＦ１２０およびＵＥ１０５は、同様にまたは代わりに、ＬＰＰと同じであり得るか、それに類似し得るか、またはその拡張であり得るＮＰＰプロトコルを使用して通信し得る。ここで、ＬＰＰおよび／またはＮＰＰメッセージは、ＡＭＦ１１５およびＵＥ１０５のためのサービングｇＮＢ１１０−１またはサービングｎｇ−ｅＮＢ１１４を介して、ＵＥ１０５とＬＭＦ１２０との間で転送され得る。例えば、ＬＰＰおよび／またはＮＰＰメッセージは、（例えば、ハイパーテキスト転送プロトコル（ＨＴＴＰ）に基づいて）サービスベースの動作のためのメッセージを使用してＬＭＦ１２０とＡＭＦ１１５との間で転送され得、５Ｇ ＮＡＳプロトコルを使用してＡＭＦ１１５とＵＥ１０５との間で転送され得る。ＬＰＰおよび／またはＮＰＰプロトコルは、Ａ−ＧＮＳＳ、ＲＴＫ、ＯＴＤＯＡおよび／またはＥＣＩＤのようなＵＥ支援型のおよび／またはＵＥベースの位置決め方法を使用したＵＥ１０５の測位をサポートするために使用され得る。ＮＲＰＰａプロトコルは、（例えば、ｇＮＢ１１０またはｎｇ−ｅＮＢ１１４によって取得される測定値とともに使用されるとき）ＥＣＩＤのようなネットワークベースの位置決め方法を使用したＵＥ１０５の測位をサポートするために使用され得、ならびに／あるいは、ｇＮＢ１１０および／またはｎｇ−ｅＮＢ１１４からのＰＲＳ送信を定義するパラメータのようなロケーション関連情報をｇＮＢ１１０および／またはｎｇ−ｅＮＢ１１４から取得するためにＬＭＦ１２０によって使用され得る。
【００４１】
[0050]ＵＥ１０５がＷＬＡＮ１１６にアクセスする場合、ＬＭＦ１２０は、ＵＥ１０５のロケーションを取得するために、ｇＮＢ１１０またはｎｇ−ｅＮＢ１１４へのＵＥ１０５のアクセスについて先ほど説明したのと同様の方法でＮＲＰＰａおよび／またはＬＰＰ／ＮＰＰを使用し得る。ゆえに、ＮＲＰＰａメッセージは、ＵＥ１０５のネットワークベースの測位および／またはＷＬＡＮ１１６からＬＭＦ１２０への他のロケーション情報の転送をサポートするために、ＡＭＦ１１５およびＮ３ＩＷＦ１５０を介して、ＷＬＡＮ１１６とＬＭＦ１２０との間で転送され得る。代替的に、ＮＲＰＰａメッセージは、Ｎ３ＩＷＦ１５０が知っているかまたはアクセス可能であり、ＮＲＰＰａを使用してＮ３ＩＷＦ１５０からＬＭＦ１２０に転送されるロケーション関連情報および／またはロケーション測定値に基づくＵＥ１０５のネットワークベースの測位をサポートするためにＡＭＦ１１５を介してＮ３ＩＷＦ１５０とＬＭＦ１２０との間で転送され得る。同様に、ＬＰＰおよび／またはＮＰＰメッセージは、ＬＭＦ１２０によるＵＥ１０５のＵＥ支援型のまたはＵＥベースの測位をサポートするために、ＡＭＦ１１５、Ｎ３ＩＷＦ１５０、およびＵＥ１０５のためのサービングＷＬＡＮ１１６を介してＵＥ１０５とＬＭＦ１２０との間で転送され得る。
【００４２】
[0051]ＵＥ支援型の位置決め方法を用いる場合、ＵＥ１０５は、ロケーション測定値を取得し、ＵＥ１０５のロケーション推定値の計算のためにこの測定値をロケーションサーバ（例えば、ＬＭＦ１２０）に送り得る。例えば、ロケーション測定値は、ｇＮＢ１１０、ｎｇ−ｅＮＢ１１４、および／またはＷＬＡＮ１１６のための１つまたは複数のアクセスポイントについての受信信号強度インジケーション（ＲＳＳＩ）、ラウンドトリップ信号伝搬時間（ＲＴＴ）、基準信号時間差（ＲＳＴＤ）、到着時間（ＴＯＡ）、基準信号受信電力（ＲＳＲＰ）、基準信号受信品質（ＲＳＲＱ）、受信送信時間差（Ｒｘ−Ｔｘ）、到来角（ＡＯＡ）、発射角（ＡＯＤ）、またはタイミングアドバンス（ＴＡ）のうちの１つまたは複数を含み得る。ロケーション測定値は、同様にまたは代わりに、ＳＶ１９０についてのＧＮＳＳ擬似距離、ＧＮＳＳ符号位相、および／またはＧＮＳＳ搬送波位相の測定値を含み得る。ＵＥベースの位置決め方法を用いる場合、ＵＥ１０５は、ロケーション測定値（例えば、これは、ＵＥ支援型の位置決め方法のためのロケーション測定値と同じであり得るかまたはそれに類似し得る）を取得し得、ＵＥ１０５のロケーションを（例えば、ＬＭＦ１２０のようなロケーションサーバから受信されるか、またはｇＮＢ１１０、ｎｇ−ｅＮＢ１１４、もしくはＷＬＡＮ１１６によってブロードキャストされる支援データの助けを借りて）さらに計算し得る。ネットワークベースの位置決め方法を用いる場合、１つまたは複数の基地局（例えば、ｇＮＢ１１０および／またはｎｇ−ｅＮＢ１１４）、（例えば、ＷＬＡＮ１１６内の）１つまたは複数のＡＰ、またはＮ３ＩＷＦ１５０は、ＵＥ１０５によって送信される信号についてのロケーション測定値（例えば、ＲＳＳＩ、ＲＴＴ、ＲＳＲＰ、ＲＳＲＱ、ＡＯＡ、またはＴＯＡの測定値）を取得し得、および／またはＵＥ１０５によってまたはＮ３ＩＷＦ１５０の場合ＷＬＡＮ１１６内のＡＰによって取得される測定値を受信し得、ＵＥ１０５についてのロケーション推定値の計算のためにこの測定値をロケーションサーバ（例えば、ＬＭＦ１２０）に送り得る。
【００４３】
[0052]ＮＲＰＰａを使用してｇＮＢ１１０および／またはｎｇ−ｅＮＢ１１４によってＬＭＦ１２０に提供される情報は、ＰＲＳ送信およびロケーション座標のためのタイミングおよび構成情報を含み得る。次いで、ＬＭＦ１２０は、ＮＧ−ＲＡＮ１３５および５ＧＣＮ１４０を介して、ＬＰＰおよび／またはＮＰＰメッセージ中で、この情報の一部または全部を支援データとしてＵＥ１０５に提供することができる。
【００４４】
[0053]ＬＭＦ１２０からＵＥ１０５に送られるＬＰＰまたはＮＰＰメッセージは、所望の機能性に応じて、様々な事柄のうちのいずれかを行うようにＵＥ１０５に命令し得る。例えば、ＬＰＰまたはＮＰＰメッセージは、ＧＮＳＳ（またはＡ−ＧＮＳＳ）、ＷＬＡＮ、ＯＴＤＯＡおよび／またはＥＣＩＤ（または何らかの他の位置決め方法）のための測定値を取得することをＵＥ１０５に行わせる命令を含み得る。ＯＴＤＯＡの場合、ＬＰＰまたはＮＰＰメッセージは、特定のｇＮＢ１１０および／またはｎｇ−ｅＮＢ１１４によってサポートされる（または、ｅＮＢもしくはＷｉＦｉ ＡＰのような何らかの他のタイプの基地局によってサポートされる）特定のセル内で送信されるＰＲＳ信号の１つまたは複数の測定値（例えば、ＲＳＴＤ測定値）を取得するようにＵＥ１０５に命令し得る。ＲＳＴＤ測定値は、１つのｇＮＢ１１０によって送信またはブロードキャストされる信号（例えば、ＰＲＳ信号）と、別のｇＮＢ１１０によって送信される同様の信号との、ＵＥ１０５における到着時間の差を備え得る。ＵＥ１０５は、サービングｇＮＢ１１０−１（またはサービングｎｇ−ｅＮＢ１１４）およびＡＭＦ１１５を介して、ＬＰＰまたはＮＰＰメッセージ中で（例えば、５Ｇ ＮＡＳメッセージ内で）ＬＭＦ１２０に測定値を送り返し得る。
【００４５】
[0054]上述したように、通信システム１００は５Ｇ技術に関連して説明されているが、通信システム１００は、（例えば、音声、データ、測位、および他の機能性をインプリメントするため）ＵＥ１０５のようなモバイルデバイスをサポートし、それとインタラクトするために使用される、ＧＳＭ、ＷＣＤＭＡ、ＬＴＥ、等のような他の通信技術をサポートするようにインプリメントされ得る。いくつかのそのような実施形態では、５ＧＣＮ１４０は、異なるエアインターフェースを制御するように構成され得る。例えば、いくつかの実施形態では、ＮＧ−ＲＡＮ１３５および５ＧＣＮ１４０の両方は、他のＲＡＮおよび他のコアネットワークに置き換えられ得る。例えば、ＥＰＳでは、ＮＧ−ＲＡＮ１３５は、ｅＮＢを含むＥ−ＵＴＲＡＮに置き換えら得、５ＧＣＮ１４０は、ＡＭＦ１１５の代わりにモビリティ管理エンティティ（ＭＭＥ）を、ＬＭＦ１２０の代わりにＥ−ＳＭＬＣを、およびＧＭＬＣ１２５に類似し得るＧＭＬＣを含むＥＰＣに置き換えられ得る。そのようなＥＰＳでは、Ｅ−ＳＭＬＣは、ロケーション情報をＥ−ＵＴＲＡＮ内のｅＮＢに送信しｅＮＢから受信するためにＮＲＰＰａの代わりにＬＰＰａを使用し得、ＵＥ１０５の測位をサポートするためにＬＰＰを使用し得る。これらの他の実施形態では、ＵＥ１０５のための一般的な測位プロシージャおよび方法は、ｇＮＢ１１０、ｎｇ−ｅＮＢ１１４、ＡＭＦ１１５、およびＬＭＦ１２０について本明細書で説明される機能およびプロシージャが、時として、ｅＮＢ、ＷｉＦｉ ＡＰ、ＭＭＥ、およびＥ−ＳＭＬＣのような他のネットワーク要素に代わりに適用され得るという差異を伴って、５Ｇネットワークについて本明細書で説明されるものと類似した方法でサポートされ得る。
【００４６】
[0055]ＵＥ１０５の測位において使用されるＰＲＳまたは他の信号の送信およびＯＴＤＯＡのような特定の位置決め方法をサポートするために、基地局が同期され得る。同期ネットワークでは、ｇＮＢ１１０の送信タイミングは、各ｇＮＢ１１０が他のすべてのｇＮＢ１１０と同じ送信タイミングを有するように、例えば、５０ナノ秒以下という高い精密度で同期され得る。代替的に、ｇＮＢ１１０は、各ｇＮＢ１１０が、他のすべてのｇＮＢ１１０と同じ時間持続時間の間に無線フレームまたはサブフレームを送信するように（例えば、各ｇＮＢ１１０が、他のすべてのｇＮＢ１１０と略正確に同じ時間に無線フレームまたはサブフレームの送信を開始および終了するように）、無線フレームまたはサブフレームレベルで同期され得るが、無線フレームまたはサブフレームに対して同じカウンタまたはナンバリングを必ずしも維持しない。例えば、１つのｇＮＢ１１０がカウンタまたは番号０を有するサブフレームまたは無線フレーム（これは、無線フレームまたはサブフレームのいくつかの周期的に繰り返されるシーケンスにおける第１の無線フレームまたはサブフレームであり得る）を送信しているとき、別のｇＮＢ１１０は、１、１０、１００、等の異なる番号またはカウンタを有する無線フレームまたはサブフレームを送信している可能性がある。
【００４７】
[0056]ＮＧ−ＲＡＮ１３５におけるｎｇ−ｅＮＢ１１４の送信タイミングの同期は、ｇＮＢ１１０の同期と同様の方法でサポートされ得るが、ｎｇ−ｅＮＢ１１４が、典型的には、（干渉を回避するために）ｇＮＢ１１０とは異なる周波数を使用し得るので、ｎｇ−ｅＮＢ１１４は、ｇＮＢ１１０に常に同期されるとは限らない。ｇＮＢ１１０およびｎｇ−ｅＮＢ１１４の同期は、各ｇＮＢ１１０およびｎｇ−ｅＮＢ１１４内のＧＰＳ受信機またはＧＮＳＳ受信機を使用して、またはＩＥＥＥ１５８８精密時間プロトコルの使用のような他の手段によって達成され得る。
【００４８】
[0057]ネットワークベースのＥＣＩＤ測位の場合、実施形態は、（ｇＮＢ１１０を介して）ＮＲを、（ｎｇ−ｅＮＢ１１４を介して）ＬＴＥを、または（信頼できるまたは信頼できないＷＬＡＮ１１６を介して）ＷｉＦｉを使用するＵＥアクセスのために、ＮＲＰＰａによってサポートされる一般的なプロシージャを利用し得る。ネットワークベースのＥＣＩＤ測位のためのシグナリングフローを示し、ターゲットＵＥ１０５と、ＵＥのためのサービングアクセスノード（ＡＮ）２０５と、ＬＭＦ１２０とを含む、通信システム１００の場合における、一般的なプロシージャが図２に示されている。ＡＮ２０５は、ＮＲアクセスのためのｇＮＢ（例えば、図１のｇＮＢ１１０−１）、ＬＴＥアクセスのためのｎｇ−ｅＮＢ（例えば、ｎｇ−ｅＮＢ１１４）、またはＷｉＦｉアクセスのための信頼できるＷＬＡＮ（例えば、ＷＬＡＮ１１６）であり得る。いくつかの実施形態では、ＡＮ２０５は、Ｎ３ＩＷＦ（例えば、図１のＮ３ＩＷＦ１５０）を備え得、ここでは、Ｎ３ＩＷＦは、信頼できないＷＬＡＮ（例えば、ＷＬＡＮ１１６、図２には示されない）に接続している。ＬＭＦ１２０は、サービングＡＮ２０５がどの特定のノードであるか、またはＡＮ２０５によってサポートされるＲＡＴを明確には知らないであろう。
【００４９】
[0058]図２では、ＬＭＦ１２０が、例えば、別のエンティティからＵＥ１０５に関するロケーション要求を受信したため、ＵＥ１０５のロケーションを取得する必要があると仮定される。例えば、ＬＭＦ１２０は、ＧＭＬＣ１２５が外部クライアント１３０からロケーション要求を受信して、ＡＭＦ１１５がＵＥ１０５またはＧＭＬＣ１２５からロケーション要求を受信している場合、ＵＥ１０５に関するロケーション要求をＡＭＦ１１５から受信し得る。代替的に、ＬＭＦ１２０は、ＧＭＬＣ１２５が外部クライアント１３０からロケーション要求を受信している場合、ＵＥ１０５に関するロケーション要求をＧＭＬＣ１２５から直接受信し得る。次いで、ＬＭＦ１２０は、ＵＥ１０５に関する要求されたロケーションを取得するためにまたは取得するのを助けるために、図２に示されるプロシージャを実行し得る。
【００５０】
[0059]図２のステージ２１０において、ＬＭＦ１２０は、ＵＥ１０５についてのＡＮ２０５からのＥＣＩＤ測定値を要求するために、ＵＥ１０５のためのサービングＡＭＦ１１５（図２に図示せず）を介して、ＮＲＰＰａ ＥＣＩＤ測定開始要求をサービングＡＮ２０５に送る。ＬＭＦ１２０は、例えば、ＮＲアクセス、ＬＴＥアクセス、および／またはＷｉＦｉアクセスのような複数のＲＡＴに適用可能な測定値を要求し得る。以下の表１は、どの測定値が要求され得るかを示す。測定値は、１回だけ要求され得る（「オンデマンド」と呼ばれる）か、または特定のトリガされたもしくは周期的なイベントに続いて要求され得る（「周期的またはトリガされた」と呼ばれる）。
【００５１】
[0060]ステージ２２０において、オプションで（例えば、オンデマンドのロケーションのためにステージ１において要求される場合）、サービングＡＮ２０５は、ＵＥ１０５からの測定値を要求および取得し、ここでは、ＵＥ１０５は、サービングＡＮ２０５および／または隣接ＡＮから受信されたダウンリンク（ＤＬ）信号についての測定値を取得する。以下の表２は、どの測定が要求および取得され得るかを示す。隣接ＡＮは、サービングＡＮ２０５と同じＲＡＴのためのものおよび／または他のＲＡＴのためのものであり得る。ステージ２２０は、（例えば、ＡＮ２０５がそれぞれｇＮＢ１１０またはｎｇ−ｅＮＢ１１４であるとき）ＵＥ１０５によるＮＲまたはＬＴＥアクセスのための無線リソース制御（ＲＲＣ）プロトコルを使用して、またはＡＮ２０５が信頼できるＷＬＡＮ１１６であるとき、ＷｉＦｉアクセスのためのＩＥＥＥ８０２．１１プロトコルを使用してサポートされ得る。ＡＮ２０５がＮ３ＩＷＦ（例えば、Ｎ３ＩＷＦ１５０）である、信頼できないＷＬＡＮ１１６にＵＥ１０５がアクセスする場合、ＡＮ２０５は、ステージ２２０において、要求を信頼できないＷＬＡＮ１１６に送ること、ここで、次いで、信頼できないＷＬＡＮ１１６が、（例えば、ＩＥＥＥ８０２．１１プロトコルを使用して）要求をＵＥ１０５に送り、ＵＥ１０５によって返された測定値を受信し、この測定値をＡＮ２０５に転送し得る、によって、ＵＥ１０５からの測定値を要求および取得し得る。
【００５２】
[0061]ステージ２３０において、オプションで（例えば、オンデマンドのロケーションのためにステージ１において要求される場合）、サービングＡＮ２０５は、ＵＥ１０５から受信されたアップリンク（ＵＬ）信号についての測定値を取得する。表２のさらに下の説明は、どの測定値が取得され得るかを示す。ＡＮ２０５がｇＮＢ１１０、ｎｇ−ｅＮＢ１１４、または信頼できるＷＬＡＮ１１６であるとき、ＡＮ２０５は、ＵＥ１０５から受信されたＵＬ信号の測定値を直接取得し得る。ＡＮ２０５がＮ３ＩＷＦ（例えば、Ｎ３ＩＷＦ１５０）であるとき、ＡＮ２０５は、ステージ２３０において、信頼できないＷＬＡＮ１１６からの測定値を要求および取得し得、ここで、信頼できないＷＬＡＮ１１６は、ＵＥ１０５から受信されたＵＬ信号の測定値を取得し、この測定値をＡＮ２０５に返す。
【００５３】
[0062]ステージ２４０において、サービングＡＮ２０５は、ＮＲＰＰａ  ＥＣＩＤ測定開始応答において、ステージ２２０および／またはステージ２３０において取得された任意の測定値をＬＭＦ１２０に返す。表２のさらに下の説明は、どの測定値が返され得るかを示す。周期的またはトリガされたロケーションの場合、サービングＡＮ２０５は、ステージ２４０において、測定値を含まないＮＲＰＰａ ＥＣＩＤ測定開始応答を返し得る。
【００５４】
[0063]ステージ２５０において、ＬＭＦ１２０は、ステージ２４０において受信された任意の測定値を使用して（および、場合によっては、図２に示されていない他のプロシージャを使用してＬＭＦ１２０によって取得される他の測定値を使用して）ＵＥ１０５のロケーションを決定し得る。
【００５５】
[0064]ステージ２６０−２９０において、ステージ２１０において周期的またはトリガされたロケーション要求が送られる事例では、サービングＡＮ２０５は、ステージ２６０−２８０において、ステージ２２０−２４０の機能性を１回または複数回繰り返し得、ＬＭＦ１２０は、ステージ２９０において、繰り返しごとに新しいＵＥロケーションを決定し得る。この場合、ＡＮ２０５は、通常、ステージ２６０および２７０のうちの少なくとも１つについて測定値を取得し、この測定値を含むＮＲＰＰａ ＥＣＩＤ測定開始報告を送ることによって、測定値をＬＭＦ１２０に返し得る。
【００５６】
[0065]表１は、ステージ２１０においてどの測定値がＬＭＦ１２０によって要求され得るかを示す。測定値は、ステージ２１０で送られるＮＲＰＰａ ＥＣＩＤ測定開始要求に、表１に示される情報要素（ＩＥ）のうちの１つまたは複数を含めることによって要求され得る。ＬＭＦ１２０は、表１に示されるＩＥの任意の組合せを含み得、含まれるＩＥごとに、第２の列に示される測定値のいずれかに対する要求を示し得る。例えば、ＬＭＦ１２０が、ＮＲ ＲＡＴについて図２のステージ２２０または２６０にあるようにＵＥ１０５によって取得される測定値を必要とする場合、ＬＭＦ１２０は、表１に示される「ＵＥ ＮＲ測定値」ＩＥをＥＣＩＤ測定開始要求に含め得、このＩＥにおいて、ＲＴＴ、ＲＳＲＰ、ＲＳＲＱ、ＡＯＡ、ＡＯＤ、Ｒｘ−Ｔｘ、ＲＳＴＤ、またはＴＯＡのうちの１つまたは複数の測定値を示し得る。ＬＭＦ１２０は、ターゲットＵＥのためのサービングＲＡＴ（例えば、サービングＲＡＴがＮＲであるか、ＬＴＥであるか、またはＷｉＦｉであるか）を知らない可能性があるが、ＬＭＦ１２０は、いくつかまたはすべてのＲＡＴに適用可能な測定値を要求することができ、次いで、サービングＡＮ２０５は、表２の下で説明されるように、ＡＮ２０５によってサポートされるそれらの測定値だけを取得し、返すことができる。
【００５７】
[0066]表１の行２−４に示される測定値は、ＵＥ１０５によって送信されたＵＬ信号を測定すること（またはそのＵＬ信号の別のエンティティから測定値を取得すること）によって、ステージ２３０および／またはステージ２７０においてＡＮ２０５によって取得され得る。表１の行５−７に示される測定値は、同じＲＡＴおよび／または他のＲＡＴについてサービングＡＮ２０５によっておよび／または他のＡＮによって送信されたＤＬ信号を測定することによって、ステージ２２０および／またはステージ２６０においてＵＥ１０５によって取得され得る。
【００５８】
【表１】
2021512285.tif 000003
【００５９】
[0067]表２は、どの測定値が、ステージ２２０および２３０（ならびに適用可能な場合、ステージ２６０および２７０）においてＡＮ２０５によって取得され、ステージ２４０（およびステージ２８０）においてＬＭＦ１２０に戻され得るかを示す。測定値は、サービングＡＮ２０５によってサポートされるＲＡＴのタイプを条件とし、ここで、表２の右側の３つの列は、ＲＡＴごとに、どのＩＥおよび測定値が取得され、返されることができるかを示す（返されことができる測定値については「Ｙｅｓ」エントリを、返されることができない測定値については「Ｎｏ」エントリによって）。本明細書で説明される例示的なＥＣＩＤプロシージャでは、（表２の最後の３行に示される）ＵＥ１０５によって取得される測定値のタイプの各々は、ＡＮ２０５によってサポートされるＲＡＴにかかわらず、ＡＮ２０５によって取得され、返され得る。対照的に、表２の行２−４に示すように、サービングＡＮ２０５は、サービングＡＮ２０５によってサポートされるＲＡＴに対応する測定値だけを取得し、返すことができる。一例として、ＬＭＦ１２０が、表２の行５−７のＩＥのいずれかに関連付けられた測定値のいずれかに対する要求を含む場合、サービングＡＮ２０５は、ステージ２２０（またはステージ２６０）において、ＵＥ１０５からのこれらの測定値のすべてを要求し得、次いで、ＵＥ１０５によってサポートされる場合、これらの測定値はすべて、ＵＥ１０５によって取得され、返され得る。対照的に、ＬＭＦ１２０が、表２の行２−４のＩＥに関連付けられた測定値のいずれかに対する要求を含む場合、サービングＡＮ２０５は、サービングＡＮ２０５が対応するＲＡＴをサポートする場合にだけ、これらの測定値を取得し、返し得る。例えば、ＬＭＦ１２０が、ＲＴＴ、ＴＡ、ＲＳＳＩ、ＡＯＡ、またはＲｘ−Ｔｘのうちの１つまたは複数を備えるｇＮＢ測定値を要求するＩＥ（行２）を含む場合、サービングＡＮ２０５は、サービングＡＮ２０５がＮＲ ＲＡＴをサポートする場合にだけ（ゆえに、サービングＡＮ２０５がｇＮＢ１１０を備える場合に限り）、これらの測定値を取得し、返すことができる。
【００６０】
【表２】
2021512285.tif 000004
【００６１】
[0068]上で説明され、図２および表１−２に例示された一般的なプロシージャ、メッセージ、およびパラメータは、ＬＭＦ１２０がターゲットＵＥ１０５のための任意のサービングＲＡＴについてのＥＣＩＤ測定値を要求および取得することを可能にする。加えて、ステージ２４０の後にＵＥ１０５がサービングＡＮおよびサービングＲＡＴを変更するステージ２１０での周期的またはトリガされた要求について、元のサービングＡＮ２０５がステージ２１０において受信された要求からの情報を新しいＡＮ（図２に図示せず）に転送する場合、新しいサービングＡＮは、ステージ２６０−２８０を実行することによってプロシージャをサポートし続け得る。
【００６２】
[0069]ＵＥ支援型のまたはＵＥベースのＯＴＤＯＡ測位の場合、一般的なプロシージャは、（例えば、ｇＮＢ１１０を介した）ＮＲ、（例えば、ｎｇ−ｅＮＢ１１４を介した）ＬＴＥ、または（例えば、信頼できるまたは信頼できないＷＬＡＮ１１６を介した）ＷｉＦｉを使用するＵＥアクセスのために、ＬＰＰおよび／またはＮＰＰによってサポートされ得る。ＵＥ支援型のまたはＵＥベースのＯＴＤＯＡ測位のためのシグナリングフローを示し、ターゲットＵＥ１０５と、３つのアクセスノード（ＡＮ１ ２０５−１、ＡＮ２ ２０５−２、およびＡＮ３ ２０５−３、本明細書ではまとめておよび総称的にアクセスノードまたはＡＮ、２０５と呼ばれる）と、ＬＭＦ１２０とを含む、通信システム１００における、そのような一般的なプロシージャの実施形態が、図３に示されている。ＡＮ２０５は、ＮＲアクセスのためのｇＮＢ（例えば、図１のｇＮＢ１１０）、ＬＴＥアクセスのためのｎｇ−ｅＮＢ（例えば、ｎｇ−ｅＮＢ１１４）、ＬＴＥアクセスのためのＥ−ＵＴＲＡＮにおけるｅＮＢ、またはＷｉＦｉアクセスのためのＷＬＡＮ（例えば、ＷＬＡＮ１１６）を含むことができる。ＡＮ１ ２０５−１がサービングＡＮであると仮定される。しかしながら、ＬＭＦ１２０は、ＡＮ１ ２０５−１またはＡＮ１ ２０５−１によってサポートされるＲＡＴのアイデンティティを知らない可能性がある。図３で使用されるメッセージは、以下ではＬＰＰ／ＮＰＰメッセージと呼ばれ、各々が、ＬＰＰメッセージ、ＮＰＰメッセージ、またはＮＰＰメッセージと組み合わされたＬＰＰメッセージ（例えば、ここでは、ＬＰＰメッセージは、埋め込まれたＮＰＰメッセージを含む）を備え得る。
【００６３】
[0070]図２の場合と同様に、図３では、ＬＭＦ１２０が、図２に関して前に説明されたように、例えば、別のエンティティからＵＥ１０５に関するロケーション要求を受信したため、ＵＥ１０５のロケーションを取得する必要があること、および、ＬＭＦ１２０が、ＵＥ１０５に関する要求されたロケーションを取得するためにまたは取得するのを助けるために、図３に示されたプロシージャを実行することが仮定される。
【００６４】
[0071]図３のステージ３０５において、ステージ３３０の前の任意の時間に、ＬＭＦ１２０は、ＡＮ１ ２０５−１がｇＮＢ１１０またはｎｇ−ｅＮＢ１１４である場合、ＡＮ１ ２０５−１からブロードキャストされる１つまたは複数の信号（例えば、ＰＲＳ、ＴＲＳ、またはＣＲＳ）に関する情報をＡＮ１ ２０５−１から取得するために、ＮＲＰＰａ ＯＴＤＯＡ情報要求をＡＮ１ ２０５−１に送り得る。ＬＭＦ１２０は、例えば、ＬＭＦ１２０が（例えば、サービングＡＭＦから）ＵＥ１０５のための初期サービングセルについて通知されている場合、ターゲットＵＥ１０５への既知の近接度に基づいてＡＮ１ ２０５−１を選択し得る。１つまたは複数のブロードキャスト信号は、ＯＴＤＯＡ ＲＳＴＤ測定に使用される基準信号であり得る。
【００６５】
[0072]ステージ３１０において、ＡＮ１ ２０５−１は、ステージ３０５において要求された、ＡＮ１ ２０５−１からブロードキャストされる１つまたは複数の信号（例えば、ＰＲＳ、ＴＲＳ、またはＣＲＳ）に関する情報をＮＲＰＰａ ＯＴＤＯＡ情報応答においてＬＭＦ１２０に返す。例えば、ＡＮ１ ２０５−１は、ＡＮ１ ２０５−１によってサポートされるＰＲＳ、ＴＲＳ、またはＣＲＳ構成に関する情報を提供し得る。各ブロードキャスト信号についての構成情報は、例えば、信号アイデンティティ（ＩＤ）（例えば、ＰＲＳ ＩＤ）、信号帯域幅、キャリア周波数、コーディング、周波数シフト、周期性（例えば、ブロードキャスト信号の連続する発生間のサブフレームの数および開始サブフレーム）、持続時間（例えば、信号をブロードキャストするために使用される連続するサブフレームの数）、および／またはミュートパターンを含み得る。ＡＮ１ ２０５−１はまた、１つのセルアンテナ（または複数のセルアンテナ）のロケーション座標、ＡＮ１ ２０５によって使用されるアンテナのタイプ、および／または（例えば、ＧＰＳ時間または協定世界時（ＵＴＣ）のような絶対時間に対するセルタイミングのような）セルタイミング情報のような、ＡＮ１ ２０５−１におよび／またはＡＮ１ ２０５−１によってサポートされるセルに関する情報を提供し得る。ＬＭＦ１２０は、ＡＮ２ ２０５−２、ＡＮ３ ２０５−３、および場合によっては他のＡＮ（図３に図示せず）からＯＴＤＯＡ情報を取得するために、ステージ３０５および３１０に類似したステージを実行し得る。
【００６６】
[0073]ステージ３１５において、ＬＭＦ１２０は、ＬＰＰ／ＮＰＰに適用可能なＵＥ１０５の測位能力を要求するために、ＬＰＰ／ＮＰＰ能力要求メッセージをＵＥ１０５に送り得る。
【００６７】
[0074]ステージ３２０において、ＵＥ１０５は、ＬＰＰ／ＮＰＰ能力提供メッセージ中でその測位能力をＬＭＦ１２０に返す。例えば、能力は、ＵＥ１０５によってサポートされる位置決め方法、ＵＥ１０５によってサポートされる各サポートされる位置決め方法のための測定値、各サポートされる位置決め方法のためのＵＥ１０５によってサポートされる支援データのタイプ、およびＵＥ１０５によってサポートされるＲＡＴを示し得る。
【００６８】
[0075]ステージ３２５において、ステージ３２０において取得されたＵＥ１０５の測位能力と、ＵＥ１０５の近くにあるＬＭＦ１２０の地上波公共移動通信ネットワーク（ＰＬＭＮ）事業者によってサポートされるＲＡＴのような他の情報とに基づいて、ＬＭＦ１２０は、ＵＥ１０５を位置特定するために使用されることとなる１つまたは複数の位置決め方法を決定する。この例では、位置決め方法は、一般的なＵＥ支援型のまたはＵＥベースのＯＴＤＯＡを含む。次いで、ＬＭＦ１２０は、ＯＴＤＯＡのための１つの基準セル（または複数の基準セル）および隣接セルを選択する。基準セルは、ＵＥ１０５のための現在または以前のサービングセルに対応し得、隣接セルは、ＵＥ１０５の近くの（例えば、ＵＥ１０５のための現在または以前のサービングセルの近くの）他のセルであり得る。基準セルおよび隣接セルはすべて、同じＲＡＴのためのものであり得るか、例えば、ＬＴＥおよびＮＲのような異なるＲＡＴのためのものであり得る。基準セルは、１つのアクセスノード（例えば、ＡＮ１ ２０５−１）によってサポートされ得、隣接セルは、他のアクセスノード（例えば、ＡＮ２ ２０５−２およびＡＮ３ ２０５−３）によってサポートされ得る。
【００６９】
[0076]ステージ３３０において、ＬＭＦ１２０は、ＬＰＰ／ＮＰＰ支援データ提供メッセージ中で支援データをＵＥ１０５に送る。この例では、支援データは、ステージ３２５において選択された基準セルおよび隣接セルの各々によってブロードキャストされる１つまたは複数の信号についての情報と、場合によっては、セルタイミング、（例えば、基準セルと隣接セルとの間の）セルタイミングの差、および／またはセルアンテナのロケーション座標のような基準セルおよび隣接セルについての他の情報とを含む。例えば、情報は、ＰＲＳ、ＴＲＳ、および／またはＣＲＳ構成情報と、場合によってはステージ３１０においてＡＮ１ ２０５−１からおよびステージ３１０に類似したステージにおいて他のＡＮからＬＭＦ１２０によって取得された他のＡＮまたはセル関連情報とを備え得る。代替的に、この情報の一部または全部は、ＬＭＦ１２０においてすでに構成されている可能性がある。
【００７０】
[0077]ステージ３３５において、ＬＭＦ１２０は、ＬＰＰ／ＮＰＰロケーション情報要求メッセージ中で、ロケーション測定値またはロケーション推定値に対する要求をＵＥ１０５に送る。ステージ３２５において一般的なＵＥ支援型のＯＴＤＯＡが選択されるとき、ＯＴＤＯＡ ＲＳＴＤ測定値に対する要求が含まれる。ステージ３２５において一般的なＵＥベースのＯＴＤＯＡが選択されるとき、ロケーション推定値に対する要求が含まれる。
【００７１】
[0078]ステージ３４０において、ＡＮ１ ２０５−１、ＡＮ２ ２０５−２、およびＡＮ３ ２０５−３は、それらのカバレージエリア全体にわたって、ＵＥ１０５によって受信され得る信号をブロードキャストする。ｇＮＢ１１０、ｎｇ−ｅＮＢ１１４、またはｅＮＢであるＡＮ２０５の場合、信号は、ＰＲＳ、ＴＲＳ、ＣＲＳ、または何らかの他の基準信号を含み得る。ＷｉＦｉ ＡＰであるＡＮ２０５の場合、信号は、ＩＥＥＥ８０２．１１ビーコンフレームまたは１つまたは複数の何らかの他のＩＥＥＥ８０２．１１フレームを含み得る。
【００７２】
[0079]ステージ３４５において、ＵＥ支援型のＯＴＤＯＡの場合、ＵＥ１０５は、ステージ３４０においてブロードキャストされた信号のうちの１つまたは複数を獲得および測定し、ステージ３３５において要求された測定値のうちの１つまたは複数を取得する。測定値は、基準セルからの信号（例えば、ＰＲＳ、ＴＲＳ、またはＣＲＳ）と隣接セルからの信号との間のＯＴＤＯＡについてのＲＳＴＤの測定値を含み得る。基準セルは、ステージ３２５においてＬＭＦ１２０によって選択された基準セルと同じであり得るか、または（例えば、ＵＥ１０５のための現在のサービングセルのような）ＵＥ１０５によって選択された基準セルとは異なる基準セルであり得る。各ＲＳＴＤ測定値について、基準セルのためのＲＡＴおよび隣接セルのためのＲＡＴは、同じＲＡＴであり得るか、またはこれら２つのＲＡＴは異なり得る。例えば、基準セルがＮＲのためのものであるとき、ＵＥ１０５は、同じくＮＲのためのものであるか、またはＬＴＥのためのものである隣接セルについてのＲＳＴＤを取得し得る。同様に、基準セルがＬＴＥのためのものであるとき、ＵＥ１０５は、同じくＬＴＥのためのものであるか、またはＮＲのためのものである隣接セルについてのＲＳＴＤを取得し得る。
【００７３】
[0080]ステージ３２５において一般的なＵＥベースのＯＴＤＯＡがＬＭＦ１２０によって選択された場合、ステージ３５０において、ＵＥ１０５は、ステージ３４５において取得された測定値と、ステージ３３０において受信された支援データとに基づいて、ＵＥ１０５のロケーションを計算する。例えば、支援データが、ＡＮ１ ２０５−１、ＡＮ２ ２０５−２、ＡＮ３ ２０５−３、および他のＡＮのアンテナロケーションと、ステージ３２５において選択された基準セルと隣接セルとの間のタイミング差とを含む場合、ＵＥ１０５は、既知のＯＴＤＯＡ技法に基づくマルチラテレーション（multilateration）を使用してロケーションを取得し得る。
【００７４】
[0081]ステージ３５５において、ＵＥ１０５は、ＬＰＰ／ＮＰＰロケーション情報提供メッセージ中で、ステージ３５０において取得されたロケーション推定値またはステージ３４５において取得された測定値をＬＭＦ１２０に返す。
【００７５】
[0082]ステージ３２５において一般的なＵＥ支援型のＯＴＤＯＡがＬＭＦ１２０によって選択された場合、ステージ３６０において、ＬＭＦ１２０は、ステージ３５５において受信された測定値と、ＬＭＦ１２０において構成された、ならびに／または、ステージ３１０においておよびＡＮ１ ２０５−１、ＡＮ２ ２０５−２、ＡＮ３ ２０５−３および他のＡＮのための同様のステージにおいて受信された情報とに基づいて、ＵＥ１０５のロケーションを計算する。ＬＭＦ１２０は、既知のＯＴＤＯＡ技法に基づくマルチラテレーションを使用してロケーションを取得し得る。
【００７６】
[0083]図３に示される一般的なＯＴＤＯＡプロシージャをサポートするために、ＬＭＦ１２０は、ステージ３３０において、２つ以上の異なるＲＡＴに属するセルのための支援データをＵＥ１０５に提供し得る。例えば、これらのセルには、ｅＮＢからのＬＴＥアクセスのためのセル、ｎｇ−ｅＮＢ（例えば、ｎｇ−ｅＮＢ１１４）からのＬＴＥアクセスのためのセル、および／またはｇＮＢ（例えば、ｇＮＢ１１０−１）からのＮＲアクセスのためのセルが含まれ得る。隣接セルが基準セルと同じＲＡＴのためのものであるか、異なるＲＡＴのためのものであるかにかかわらず、ＵＥ１０５が、各隣接セルについてのＲＳＴＤ測定値を取得する単一の基準セルが、ステージ３３０において、ＬＭＦ１２０によってＵＥ１０５に提供され得る。他の実施形態では、ＲＡＴごとにステージ３３０において、異なる基準セルがＬＭＦ１２０によってＵＥ１０５に提供され得る。例えば、これらの他の実施形態では、ＬＭＦ１２０は、ＮＲのための第１の基準セルと、ｎｇ−ｅＮＢからのＬＴＥアクセスのための第２の基準セルと、ｅＮＢからのＬＴＥアクセスのための第３の基準セルとを提供し得るが、いくつかの実施形態では、第２および第３の基準セルのうちの１つだけが提供され得る。次いで、ＵＥ１０５は、基準セルと同じＲＡＴに属する隣接セルのためにだけ各基準セルについてのＲＳＴＤを取得し得る（例えば、第２および第３の基準セルのうちの１つだけが提供されるとき、ｎｇ−ｅＮＢへのＬＴＥアクセスがｅＮＢへのＬＴＥアクセスと同じＲＡＴであるとみなされる場合）。
【００７７】
[0084]これらの異なる基準セルの例として、セルＣ１、Ｃ２、・・・ＣＮが第１のＲＡＴに属し、セルｃ１、ｃ２、・・・ｃＭが第２のＲＡＴに属すると仮定する。１つの基準セルがすべてのＲＡＴに使用される場合、ＬＭＦ１２０は、セルＣ１を単一の基準セルとして選択し得、ＵＥ１０５は、セルＣ２、Ｃ３・・・ＣＮ、ｃ１、ｃ２、・・・ｃＭの各々について別個のＲＳＴＤ測定値を取得し得、ここで、各別個のＲＳＴＤ測定値は、基準セルＣ１およびこれらのセルのうちの１つについてのＲＳＴＤである。反対に、１つの基準セルが各ＲＡＴに使用されるとき、ＬＭＦ１２０は、セルＣ１を第１のＲＡＴのための基準セルとして選択し、セルｃ１を第２のＲＡＴのための基準セルとして選択し得、ＵＥ１０５は、基準セルＣ１に対するセルＣ２、Ｃ３・・・ＣＮの各々についての別個のＲＳＴＤ測定値と、基準セルｃ１に対するセルｃ２、ｃ３、・・・ｃＭの各々についての別個のＲＳＴＤ測定値とを取得し得る。
【００７８】
[0085]ステージ３３０において提供されるＯＴＤＯＡ基準セルおよび隣接セルは、異なるＲＡＴのためのセルを含むことができるため、ＵＥ１０５は、ＵＥ１０５がどのＲＡＴに現在アクセスしているかにかかわらず、ステージ３４５においてＲＳＴＤ測定値を取得し得る。加えて、ＵＥ１０５は、セル変更または異なるＲＡＴへのハンドオーバの後、ステージ３４５においてＲＳＴＤ測定値を取得し続け得る。さらに、ＵＥ１０５が、ＷＬＡＮ１１６のためのＷｉＦｉのような、ＯＴＤＯＡが直接適用可能でないＲＡＴにアクセスしている場合でも、ＵＥ１０５は、ＮＲおよび／またはＬＴＥ周波数に周期的に同調することと、ステージ３３０においてＬＭＦ１２０によって提供される基準セルおよび隣接セルのタイミングを測定することとによって、ステージ３４５においてＲＳＴＤ測定値を依然として取得し得る。
【００７９】
[0086]当業者が認識するように、ＵＥ支援型のＥＣＩＤ測位方法は、図３で説明される実施形態に類似した方法で、本明細書で説明される技法にしたがって修正もされ得る。特に、ロケーションサーバは、複数の無線アクセスタイプのためにＵＥからのロケーション測定値に対する要求をＵＥに送り得る。次いで、ＵＥは、複数の無線アクセスタイプの少なくとも１つのアクセスノードによって送信された信号のロケーション測定値を取得し、このロケーション測定値をロケーションサーバに戻すことができる。次いで、ロケーションサーバは、これらのロケーション測定値を使用して、ＵＥのロケーションを決定することができる。ＵＥ支援型のＥＣＩＤ測位方法の例が図４に例示される。
【００８０】
[0087]図４は、通信システム１００の場合における、ＵＥ支援型のＥＣＩＤ測位方法の実施形態を例示するシグナリングフローを示す。図３と同様に、図４に例示される実施形態は、ターゲットＵＥ１０５、ＡＮ２０５、およびＬＭＦ１２０を含む。ＡＮ２０５は、ｇＮＢ（例えば、ｇＮＢ１１０）、ｎｇ−ｅＮＢ（例えば、ｎｇ−ｅＮＢ１１４）、ＬＴＥアクセスのためのＥ−ＵＴＲＡＮにおけるｅＮＢ、またはＷｉＦｉアクセスのためのＷＬＡＮ（例えば、ＷＬＡＮ１１６）を含むことができる。この場合も同様に、ＡＮ１ ２０５−１がサービングＡＮであると仮定され、ＬＭＦ１２０は、ＡＮ１ ２０５−１またはＡＮ１ ２０５−１によってサポートされるＲＡＴのアイデンティティを知らない可能性がある。図４のステージ４０５−４６０は、ＥＣＩＤ測位についてであることを除いて、上述した図３の対応するステージ３０５−３６０に概ね対応する。
【００８１】
[0088]図２および図３の場合と同様に、図４では、ＬＭＦ１２０が、図２に関して前に説明されたように、例えば、別のエンティティからＵＥ１０５に関するロケーション要求を受信したため、ＵＥ１０５のロケーションを取得する必要があること、および、ＬＭＦ１２０が、ＵＥ１０５に関する要求されたロケーションを取得するためにまたは取得するのを助けるために、図４に示されたプロシージャを実行することが仮定される。
【００８２】
[0089]ステージ４０５において、例えば、ＬＭＦ１２０は、ＡＮ１ ２０５−１がｇＮＢ１１０またはｎｇ−ｅＮＢ１１４である場合、ＡＮ１ ２０５−１からブロードキャストされる１つまたは複数の信号（例えば、ＰＲＳ、ＴＲＳ、またはＣＲＳ）に関する情報をＡＮ１ ２０５−１から取得するために、ＮＲＰＰａ ＥＣＩＤ情報要求をＡＮ１ ２０５−１に送り得る。ＬＭＦ１２０は、例えば、ＬＭＦ１２０が（例えば、サービングＡＭＦから）ＵＥ１０５のための初期サービングセルについて通知されている場合、ターゲットＵＥ１０５への既知の近接度に基づいてＡＮ１ ２０５−１を選択し得る。１つまたは複数のブロードキャスト信号は、ＥＣＩＤ測定に使用される基準信号であり得る。
【００８３】
[0090]ステージ４１０において、ＡＮ１ ２０５−１は、ステージ４０５において要求された、ＡＮ１ ２０５−１からブロードキャストされる１つまたは複数の信号（例えば、ＰＲＳ、ＴＲＳ、またはＣＲＳ）に関する情報をＮＲＰＰａ ＥＣＩＤ情報応答においてＬＭＦ１２０に返す。例えば、ＡＮ１ ２０５−１は、ＡＮ１ ２０５−１によってサポートされるＰＲＳ、ＴＲＳ、またはＣＲＳ構成に関する情報を提供し得る。各ブロードキャスト信号についての構成情報は、例えば、信号アイデンティティ（ＩＤ）（例えば、ＰＲＳ ＩＤ）、信号帯域幅、キャリア周波数、コーディング、周波数シフト、周期性（例えば、ブロードキャスト信号の連続する発生間のサブフレームの数および開始サブフレーム）、持続時間（例えば、信号をブロードキャストするために使用される連続するサブフレームの数）、および／またはミュートパターンを含み得る。ＡＮ１ ２０５−１はまた、１つのセルアンテナ（または複数のセルアンテナ）のロケーション座標、ＡＮ１ ２０５によって使用されるアンテナのタイプ、および／または（例えば、ＧＰＳ時間または協定世界時（ＵＴＣ）のような絶対時間に対するセルタイミングのような）セルタイミング情報のような、ＡＮ１ ２０５−１にまたはＡＮ１ ２０５−１によってサポートされるセルに関する情報を提供し得る。ＬＭＦ１２０は、ＡＮ２ ２０５−２、ＡＮ３ ２０５−３、および場合によっては他のＡＮ（図４に図示せず）からＥＣＩＤ情報を取得するために、ステージ４０５および４１０に類似したステージを実行し得る。
【００８４】
[0091]一実施形態では、ステージ４０５において送られるＮＲＰＰａ ＥＣＩＤ情報要求およびステージ４１０において返されるＮＲＰＰａ ＥＣＩＤ情報応答は、それぞれ、（例えば、図３のステージ３０５および３１０に使用される）ＮＲＰＰａ ＯＴＤＯＡ情報要求およびＮＲＰＰａ ＯＴＤＯＡ情報応答に置き換えられ得る。この実施形態は、ＥＣＩＤ測位のためにＵＥ１０５によって使用される情報がＯＴＤＯＡ測位のためにＵＥ１０５によって使用される情報（例えば、情報のサブセット）に類似していることを利用し得、ＵＥ１０５によるＥＣＩＤ測位をサポートするために追加のＮＲＰＰａメッセージを定義およびインプリメントする必要性を回避し得る。別の実施形態では、例えば、ステージ４３０が省略され、ＥＣＩＤのための支援データがＬＭＦ１２０によってＵＥ１０５に送られない場合、ステージ４０５および４１０は行われなくてもよい。
【００８５】
[0092]ステージ４１５において、ＬＭＦ１２０は、ＬＰＰ／ＮＰＰに適用可能なＵＥ１０５の測位能力を要求するために、ＬＰＰ／ＮＰＰ能力要求メッセージをＵＥ１０５に送り得る。
【００８６】
[0093]ステージ４２０において、ＵＥ１０５は、ＬＰＰ／ＮＰＰ能力提供メッセージ中でその測位能力をＬＭＦ１２０に返す。例えば、能力は、ＵＥ１０５によってサポートされる位置決め方法、ＵＥ１０５によってサポートされる各サポートされる位置決め方法のための測定値、各サポートされる位置決め方法のためのＵＥ１０５によってサポートされる支援データのタイプ、およびＵＥ１０５によってサポートされるＲＡＴを示し得る。
【００８７】
[0094]ステージ４２５において、ステージ４２０において取得されたＵＥ１０５の測位能力と、ＵＥ１０５の近くにあるＬＭＦ１２０のＰＬＭＮ事業者によってサポートされるＲＡＴのような他の情報とに基づいて、ＬＭＦ１２０は、ＵＥ１０５を位置特定するために使用されることとなる１つまたは複数の位置決め方法を決定する。この例では、位置決め方法は、一般的なＵＥ支援型のまたはＵＥベースのＥＣＩＤを含む。
【００８８】
[0095]オプションで、ステージ４３０において、ＬＭＦ１２０は、ＬＰＰ／ＮＰＰ支援データ提供メッセージ中で支援データをＵＥ１０５に送り得る。この例では、支援データは、ＵＥ１０５のための現在または以前のサービングセルおよび／またはＵＥ１０５の近くにある１つまたは複数の隣接セルによってブロードキャストされる１つまたは複数の信号についての情報を含み得る。例えば、情報は、ＰＲＳ、ＴＲＳおよび／またはＣＲＳ構成情報、ならびに／あるいは、ステージ４１０においてＡＮ１ ２０５−１からおよびステージ４１０に類似したステージにおいて他のＡＮからＬＭＦ１２０によって取得された（例えば、セルアンテナ座標のような）他のＡＮまたはセル関連情報を備え得る。代替的に、この情報の一部または全部は、ＬＭＦ１２０においてすでに構成されている可能性がある。いくつかの実施形態では、ステージ４３０は行われず、代わりに、ＵＥ１０５は、サービングセルおよび隣接セルからブロードキャストされる信号に関する情報、ならびに／あるいは、（例えば、システム情報ブロック（ＳＩＢ）においてＡＮ１ ２０５−１によってブロードキャストされる情報から、または、例えば、ＲＲＣを使用してＡＮ１ ２０５−１によってＵＥ１０５にポイントツーポイントで送られた情報から）サービングＡＮ１ ２０５−１からの（例えば、セルアンテナ座標のような）サービングセルおよび隣接セルについての他の情報を取得し得る。
【００８９】
[0096]ステージ４３５において、ＬＭＦ１２０は、ＬＰＰ／ＮＰＰロケーション情報要求メッセージ中で、ロケーション測定値に対する要求またはロケーション推定値に対する要求をＵＥ１０５に送る。ステージ４２５において一般的なＵＥ支援型のＥＣＩＤが選択されるとき、ＬＭＦ１２０は、ＲＳＳＩ、ＲＴＴ、ＲＳＴＤ、ＲＳＲＰ、ＲＳＲＱ、Ｒｘ−Ｔｘ、ＡＯＡ、ＡＯＤ、および／またはＴＡのうちの１つまたは複数についての測定値を要求し得る。これらの測定値は、１つまたは複数の異なるＲＡＴの各々について別々に要求され得る。例えば、ＬＭＦ１２０は、ＮＲアクセスのための（ＲＳＳＩ、ＲＴＴ、ＲＳＴＤ、ＲＳＲＰ、ＲＳＲＱ、Ｒｘ−Ｔｘ、ＡＯＡ、ＡＯＤ、および／またはＴＡの中からの）測定値の１つの組合せ、ＥＰＳおよび／または５ＧＣＮへのＬＴＥアクセスのための測定値の別の組合せ（これは、ＮＲアクセスのための組合せと同じであり得るかまたは異なり得る）、ＷｉＦｉアクセスのための測定値の第３の組合せ（これは、ＮＲおよび／またはＬＴＥアクセスのための組合せと同じであり得るかまたは異なり得る）、ならびに、場合によっては、ＥＰＳへのＬＴＥアクセスと５ＧＣＮ１４０へのＬＴＥアクセスとが異なるＲＡＴとして扱われる場合に、５ＧＣＮ１４０またはＥＰＳのどちらか第２の組合せに含まれない方へのＬＴＥアクセスのための測定値の第４の組合せを要求し得る。ステージ４２５において一般的なＵＥベースのＥＣＩＤが選択されるとき、ＥＣＩＤ測定値に対する要求の代わりにロケーション推定値に対する要求が含まれる。
【００９０】
[0097]ステージ４４０において、ＡＮ１ ２０５−１、ＡＮ２ ２０５−２、およびＡＮ３ ２０５−３は、それらのカバレージエリア全体にわたって、ＵＥ１０５によって受信され得る信号をブロードキャストする。ｇＮＢ１１０、ｎｇ−ｅＮＢ１１４、またはｅＮＢであるＡＮ２０５の場合、信号は、ＰＲＳ、ＴＲＳ、ＣＲＳ、または何らかの他の基準信号を含み得る。ＷｉＦｉ ＡＰであるＡＮ２０５の場合、信号は、ＩＥＥＥ８０２．１１ビーコンフレームまたは１つまたは複数の何らかの他のＩＥＥＥ８０２．１１フレームを含み得る。
【００９１】
[0098]ステージ４４５において、ＵＥ支援型のＥＣＩＤの場合、ＵＥ１０５は、ステージ４４０においてブロードキャストされた信号のうちの１つまたは複数を獲得および測定し、ステージ４３５において要求された測定値のうちの１つまたは複数を取得する。典型的には、ＵＥ１０５は、ＵＥ１０５のための現在のサービングＲＡＴを備えるＲＡＴのために要求された測定値を取得し得るが、いくつかのインプリメンテーションでは、ＵＥ１０５は、同様に（または代わりに）、サービングＲＡＴとは異なる１つまたは複数のＲＡＴのための測定値を、ＵＥ１０５がこれらのＲＡＴのための信号を受信および測定することが可能である場合、取得し得る。
【００９２】
[0099]ステージ４２５において一般的なＵＥベースのＥＣＩＤがＬＭＦ１２０によって選択された場合、ステージ４５０において、ＵＥ１０５は、ステージ４４５において取得された測定値と、ステージ４３０において受信された支援データとに基づいて、ＵＥ１０５のロケーションを計算する。例えば、支援データが、ＡＮ１ ２０５−１、ＡＮ２ ２０５−２、ＡＮ３ ２０５−３、および他のＡＮのアンテナロケーションを含む場合、ＵＥ１０５は、ステージ４４５において取得された測定値に適用可能な場合に、三角測量、マルチラテレーション、および／または他の技法を使用してロケーションを取得し得る。
【００９３】
[0100]ステージ４５５において、ＵＥ１０５は、ＬＰＰ／ＮＰＰロケーション情報提供メッセージ中で、ステージ４５０において取得されたロケーション推定値またはステージ４４５において取得された測定値をＬＭＦ１２０に返す。
【００９４】
[0101]ステージ４２５において一般的なＵＥ支援型のＥＣＩＤがＬＭＦ１２０によって選択された場合、ステージ４６０において、ＬＭＦ１２０は、ステージ４５５において受信された測定値と、ＬＭＦ１２０において構成された、ならびに／または、ステージ４１０においておよびＡＮ１ ２０５−１、ＡＮ２ ２０５−２、ＡＮ３ ２０５−３および他のＡＮのための同様のステージにおいて受信された情報とに基づいて、ＵＥ１０５のロケーションを計算する。ＬＭＦ１２０は、（例えば、既知のＥＣＩＤ技法に基づいて）ステージ４５５において受信された測定値に適用可能な場合に、三角測量、マルチラテレーション、および／または他の技法を使用してロケーションを取得し得る。
【００９５】
[0102]図４に示される一般的なＥＣＩＤプロシージャをサポートするために、ＬＭＦ１２０は、ステージ４３０において、２つ以上の異なるＲＡＴをサポートするセルおよび／またはＡＰのための支援データをＵＥ１０５に提供し得る。例えば、これらのセルには、ｅＮＢからのＬＴＥアクセスのためのセル、ｎｇ−ｅＮＢ（例えば、ｎｇ−ｅＮＢ１１４）からのＬＴＥアクセスのためのセル、および／またはｇＮＢ（例えば、ｇＮＢ１１０−１）からのＮＲアクセスのためのセルが含まれ得る。加えて、ステージ４３０において、ＷｉＦｉ ＡＰのための支援データが提供され得る。ＬＭＦ１２０は、同様にまたは代わりに、一般的なＵＥ支援型のＥＣＩＤの場合、ステージ４３５において、２つ以上の異なるＲＡＴについてのＵＥ１０５からの測定値を要求し得る。ＬＭＦ１２０は、ＵＥ１０５のための現在のサービングセル（またはサービングＷｉＦｉ ＡＰ）または現在のサービングＲＡＴを最初は知らない可能性があるが、ステージ４３０において複数のＲＡＴのための支援データを提供することによっておよび／またはステージ４３５において複数のＲＡＴのための測定値を要求することによって、ステージ４５５においてＵＥ１０５から測定値またはロケーション推定値を依然として取得することが可能であり得、これは、ＵＥ１０５のロケーションがＬＭＦ１２０によって取得されることを可能にし得る。
【００９６】
[0103]図５は、ある実施形態による、ワイヤレスネットワーク内のロケーションサーバにおいてＵＥ（例えば、ＵＥ１０５）を位置特定する方法５００を例示するフロー図であり、これは、上で説明され、図１−４に例示された実施形態の態様にしたがってロケーションサーバの機能性を例示する。ゆえに、いくつかの実施形態によれば、図５に例示される１つまたは複数のブロックの機能性は、図１の通信システム１００のＬＭＦ１２０のようなＬＭＦ１２０によってまたはＥ−ＳＭＬＣもしくはＳＬＰによって実行され得る。また、ロケーションサーバはコンピュータシステムを備え得るため、これらの機能を実行するための手段は、図９に例示され、以下でより詳細に説明されるコンピュータシステムのようなコンピュータシステムのソフトウェアおよび／またはハードウェア構成要素を含み得る。
【００９７】
[0104]ブロック５１０において、機能性は、ＵＥのロケーションを決定するためのロケーション測定値の第１のセットに対する要求を備える第１のメッセージを、ワイヤレスエンティティに送ることを含み、ここで、ロケーション測定値の第１のセットは、複数のＲＡＴに属する信号の測定値を備え、複数のＲＡＴは、ＵＥにサービス提供するサービングＲＡＴを含み、複数のＲＡＴのうちのどのＲＡＴがサービングＲＡＴを備えるかは、ロケーションサーバにとって未知である。上述したように、これは、ＵＥが第１のＲＡＴにアクセスしているときにロケーションセッションがロケーションサーバとＵＥおよび／またはＡＮとの間で開始されるとき、ならびに、後にＵＥがロケーションセッション中に第２のＲＡＴにアクセスするときといった特定の状況で発生し得る。複数のＲＡＴは、例えば、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを含む様々なＲＡＴのうちのいずれかを備えることができる。ブロック５１０において実行される機能性は、所望の機能性に応じて、ＵＥ支援型の、ＵＥベースの、またはネットワークベースの測位のために実行され得る。したがって、いくつかの態様では、ブロック５１０の機能性は、図２のステージ２１０、図３のステージ３３５、および／または図４のステージ４３５に対応し得る。
【００９８】
[0105]ネットワークベースのＥＣＩＤの場合、例えば、ワイヤレスエンティティは、サービングＲＡＴのワイヤレスネットワークのための第１のアクセスノードを備え得る。そのような事例では、いくつかの実施形態によれば、第１のアクセスノードは、ＮＲ ＲＡＴのためのＮＲノードＢ（ｇＮＢ、例えば、ｇＮＢ１１０）、ＬＴＥ ＲＡＴのための次世代発展型ノードＢ（ｎｇ−ｅＮＢ、例えば、ｎｇ−ｅＮＢ１１４）、ＩＥＥＥ８０２．１１ＷｉＦｉ ＲＡＴのためのワイヤレスローカルエリアネットワーク（ＷＬＡＮ、例えば、ＷＬＡＮ１１６）、またはブルートゥースＲＡＴのためのＷＬＡＮ（例えば、ＷＬＡＮ１１６）を備え得る。例えば、第１のアクセスノードは、ＵＥのためのサービングｇＮＢまたはサービングｎｇ−ｅＮＢを備え得る。（例えば、図３および図４にあるようなＯＴＤＯＡまたはＵＥ支援型のＥＣＩＤを使用した）ＵＥ支援型のまたはＵＥベースの測位の場合、ワイヤレスエンティティは、ＵＥを備え得る。
【００９９】
[0106]ブロック５１０における機能性を実行するための手段は、バス９０５、処理ユニット９１０、通信サブシステム９３０、ワーキングメモリ９３５、オペレーティングシステム９４０、アプリケーション９４５、および／または図９に例示され、以下でより詳細に説明されるコンピュータシステム９００の他の構成要素のようなコンピュータシステムの１つまたは複数の構成要素を備え得る。
【０１００】
[0107]ブロック５２０において、機能性は、ワイヤレスエンティティから第２のメッセージを受信することを含み、ここで、第２のメッセージは、ＵＥのロケーションを決定するためのロケーション測定値の第２のセットを備え、ロケーション測定値の第２のセットは、ロケーション測定値の第１のセットのサブセットを備え、ロケーション測定値の第２のセットは、サービングＲＡＴに属する信号の測定値を含む。例えば、ブロック５１０におけるロケーション測定値の第１のセットに対する要求が、ＮＲ、ＬＴＥ、およびＷｉＦｉを使用した測定値に対する要求を含む場合、ブロック５２０において受信されるロケーション測定値の第２のセットは、ＬＴＥを使用した測定値を含むか、またはそれだけを備え得る。この場合も同様に、ブロック５２０において実行される機能性は、所望の機能性に応じて、ＵＥ支援型の、ＵＥベースの、またはネットワークベースの測位のために実行され得る。したがって、いくつかの態様では、ブロック５２０の機能性は、図２のステージ２４０および／または２８０、図３のステージ３５５、および／または図４のステージ４５５に対応し得る。
【０１０１】
[0108]ワイヤレスエンティティが（例えば、ネットワークベースのＥＣＩＤのために）サービングＲＡＴのワイヤレスネットワークのための第１のアクセスノードを備える実施形態では、第１のメッセージおよび／または第２のメッセージは、ＮＲ測位プロトコルＡ（ＮＲＰＰａ）のためのメッセージを備え得る。いくつかの事例では、これらの実施形態において、（例えば、図２のステージ２３０および／または２７０にあるように）第１のアクセスノードは、ＵＥの測定値を取得し得る。次いで、ロケーション測定値の第２のセットは、サービングＲＡＴを使用してＵＥによって送信された信号の、第１のアクセスノードによって取得されるロケーション測定値を備え得る。これらの実施形態のうちのいくつかでは、第１のアクセスノードによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。これらの実施形態のうちのいくつかでは、第１のアクセスノードは、（例えば、図２のステージ２２０および／または２６０にあるように）ＵＥによって取得された測定値を取得し得る。次いで、ロケーション測定値の第２のセットは、サービングＲＡＴを使用して第１のアクセスノードによって送信された信号の、ＵＥによって取得されるロケーション測定値を備え得、ここで、ＵＥによって取得されるロケーション測定値は、ＵＥによって第１のアクセスノードに送られる。ここで、いくつかの実施形態によれば、ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、またはそれらの何らかの組合せのうちの少なくとも１つを備え得る。追加的にまたは代替的に、これらの実施形態では、ロケーション測定値の第２のセットは、複数のＲＡＴのうちの少なくとも１つを使用して第２のアクセスノードによって送信された信号の、ＵＥによって取得されるロケーション測定値を備え得、ここで、第２のアクセスノードは、第１のアクセスノードとは異なり、ＵＥによって取得されるロケーション測定値は、ＵＥによって第１のアクセスノードに送られる。さらに、いくつかの実施形態によれば、第２のアクセスノードによって使用される複数のＲＡＴのうちの少なくとも１つは、第１のアクセスノードによって使用されるサービングＲＡＴとは異なり得る。
【０１０２】
[0109]ワイヤレスエンティティが（例えば、ＵＥ支援型のＥＣＩＤまたはＯＴＤＯＡのための）ＵＥを備える実施形態では、第１のメッセージおよび／または第２のメッセージは、ＬＴＥ測位プロトコル（ＬＰＰ）、ＮＲ測位プロトコル（ＮＰＰ）、または両方のプロトコルのためのメッセージを備え得る。これらの実施形態では、ＵＥは、（例えば、図３のステージ３４５または図４のステージ４４５にあるように）サービングＲＡＴのワイヤレスネットワークのためのアクセスノードによって送信された信号の測定値を取得し得る。次いで、ロケーション測定値の第２のセットは、サービングＲＡＴを使用して第１のアクセスノードによって送信された信号の、ＵＥによって取得されるロケーション測定値を備え得る。ここで、ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。これらの実施形態のうちのいくつかでは、第１のアクセスノードは、ＮＲ ＲＡＴのためのＮＲノードＢ（ｇＮＢ、例えば、ｇＮＢ１１０）、ＬＴＥ ＲＡＴのための次世代発展型ノードＢ（ｎｇ−ｅＮＢ、例えば、ｎｇ−ｅＮＢ１１４）、ＩＥＥＥ８０２．１１ＷｉＦｉ ＲＡＴのためのワイヤレスローカルエリアネットワーク（ＷＬＡＮ、例えば、ＷＬＡＮ１１６）、またはブルートゥースＲＡＴのためのＷＬＡＮを備え得る。追加的にまたは代替的に、第１のアクセスノードは、ＵＥのためのサービングｇＮＢまたはサービングｎｇ−ｅＮＢを備え得る。これらの実施形態のうちのいくつかでは、ＵＥは、サービングＲＡＴを使用して追加のアクセスノードによって送信された信号の測定値を取得し得る（例えば、図３においてＯＴＤＯＡについて説明したように、ここでは、ＵＥ１０５が、ＯＴＤＯＡ基準セルをサポートするアクセスノードと、ＯＴＤＯＡ隣接セルをサポートする他のアクセスノードとによって送信された信号を測定し得る）。次いで、ロケーション測定値の第２のセットは、サービングＲＡＴを使用して複数のアクセスノードによって送信された信号の、ＵＥによって取得されるロケーション測定値を備え得る。ここで、ＵＥによって取得されるロケーション測定値は、到着時間（ＴＯＡ）、基準信号時間差（ＲＳＴＤ）、またはそれらの何らかの組合せのうちの少なくとも１つを備え得る。加えてまたは代わりに、（例えば、図４のステージ４４５について説明したように）これらの実施形態では、ＵＥは、第１のアクセスノードのサービングＲＡＴとは異なる１つまたは複数のＲＡＴを使用するアクセスノードから測定値を取得し得る。ゆえに、ロケーション測定値の第２のセットは、複数のＲＡＴのうちの少なくとも１つを使用して複数のアクセスノードによって送信された信号の、ＵＥによって取得されるロケーション測定値を備え得、ここで、複数のＲＡＴのうちの少なくとも１つは、サービングＲＡＴとは異なる。
【０１０３】
[0110]ブロック５２０における機能性を実行するための手段は、バス９０５、処理ユニット９１０、通信サブシステム９３０、ワーキングメモリ９３５、オペレーティングシステム９４０、アプリケーション９４５、および／または図９に例示され、以下でより詳細に説明されるコンピュータシステム９００の他の構成要素のようなコンピュータシステムの１つまたは複数の構成要素を備え得る。
【０１０４】
[0111]ブロック５３０における機能性は、ロケーション測定値の第２のセットに基づいてＵＥのロケーションを決定することを備える。この場合も同様に、ここで実行される機能性は、ＵＥ支援型の、ＵＥベースの、またはネットワークベースの測位のために実行され得る。したがって、いくつかの態様では、ブロック５３０の機能性は、図２のステージ２５０（およびオプションでステージ２９０）、図３のステージ３６０、および／または図４のステージ４６０に対応し得る。ブロック５３０における機能性を実行するための手段は、バス９０５、処理ユニット９１０、ワーキングメモリ９３５、オペレーティングシステム９４０、アプリケーション９４５、および／または図９に例示され、以下でより詳細に説明されるコンピュータシステム９００の他の構成要素のようなコンピュータシステムの１つまたは複数の構成要素を備え得る。
【０１０５】
[0112]図６は、ある実施形態による、ワイヤレスネットワークのアクセスノードにおいてＵＥ（例えば、ＵＥ１０５）を位置特定する方法６００を例示するフロー図であり、これは、上で説明し、図１−４に例示した実施形態の態様にしたがって基地局および／または他のタイプのアクセスノードの機能性を例示する。ゆえに、いくつかの実施形態によれば、図６に例示される１つまたは複数のブロックの機能性は、図１のｇＮＢ（例えば、ｇＮＢ１１０）、ｎｇ−ｅＮＢ（例えば、ｎｇ−ｅＮＢ１１４）、ＷＬＡＮ（例えば、ＷＬＡＮ１１６）、またはＮ３ＩＷＦ（例えば、Ｎ３ＩＷＦ１５０）のようなサービングアクセスノードによって、図２のＡＮ２０５によって、または図３および図４のＡＮ１ ２０５−１によって実行され得る。また、アクセスノードはコンピュータシステムを備え得るため、これらの機能を実行するための手段は、図９に例示され、以下でより詳細に説明されるコンピュータシステムのようなコンピュータシステムのソフトウェアおよび／またはハードウェア構成要素を含み得る。追加的にまたは代替的に、これらの機能を実行するための手段は、図１０に例示され、以下でより詳細に説明されるアクセスノードのようなアクセスノードのソフトウェアおよび／またはハードウェア構成要素を含み得る。
【０１０６】
[0113]ブロック６１０において、機能性は、ＵＥのロケーションを決定するためのロケーション測定値の第１のセットに対する要求を備える第１のメッセージを、ワイヤレスネットワーク内のロケーションサーバ（例えば、ＬＭＦ１２０）から受信することを含み、ここで、ロケーション測定値の第１のセットは、複数のＲＡＴに属する信号の測定値を備え、複数のＲＡＴは、ＵＥにサービス提供するサービングＲＡＴを備え、複数のＲＡＴのうちのどのＲＡＴがサービングＲＡＴを備えるかは、ロケーションサーバにとって未知であり、アクセスノードは、サービングＲＡＴのアクセスノードである。複数のＲＡＴは、例えば、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを含む様々なＲＡＴのうちのいずれかを備えることができる。いくつかの事例では、アクセスノードは、ＮＲ ＲＡＴのためのＮＲノードＢ（ｇＮＢ）、ＬＴＥ ＲＡＴのための次世代発展型ノードＢ（ｎｇ−ｅＮＢ）、ＩＥＥＥ８０２．１１ＷｉＦｉ ＲＡＴのためのワイヤレスローカルエリアネットワーク（ＷＬＡＮ）、ブルートゥースＲＡＴのためのＷＬＡＮ、または非３ＧＰＰインターワーキング機能（Ｎ３ＩＷＦ）を備え得る。追加的にまたは代替的に、アクセスノードは、ＵＥのためのサービングｇＮＢまたはサービングｎｇ−ｅＮＢであり得る。ブロック６１０において実行される機能性は、所望の機能性に応じて、ネットワークベースの測位のために実行され得る。したがって、いくつかの態様では、ブロック６１０の機能性は、図２のステージ２１０に対応し得る。
【０１０７】
[0114]ブロック６１０における機能性を実行するための手段は、バス９０５、処理ユニット９１０、通信サブシステム９３０、ワーキングメモリ９３５、オペレーティングシステム９４０、アプリケーション９４５、および／または図９に例示され、以下でより詳細に説明されるコンピュータシステム９００の他の構成要素のようなコンピュータシステムの１つまたは複数の構成要素を備え得る。追加的にまたは代替的に、ブロック６１０における機能性を実行するための手段は、バス１００５、処理ユニット１０１０、ワイヤレス通信インターフェース１０３０、メモリ１０６０、ネットワークインターフェース１０８０、および／または図１０に例示され、以下でより詳細に説明されるアクセスノード１０００の他の構成要素のようなアクセスノードの１つまたは複数の構成要素を備え得る。
【０１０８】
[0115]ブロック６２０において、機能性は、ＵＥのロケーションを決定するためのロケーション測定値の第２のセットを取得することを含み、ここで、ロケーション測定値の第２のセットは、ロケーション測定値の第１のセットのサブセットを備え、ロケーション測定値の第２のセットは、サービングＲＡＴに属する信号の測定値を含む。ブロック６２０において実行される機能性は、ネットワークベースの測位のために実行され得る。したがって、いくつかの態様では、ブロック６２０の機能性は、図２のステージ２２０、２３０、２６０、および／または２７０に対応し得る。
【０１０９】
[0116]この場合も同様に、所望の機能性に応じて、ロケーション情報は、（例えば、図２のステージ２３０および２７０にあるように）アクセスノードによって取得された測定値を含み得る。ゆえに、いくつかの実施形態によれば、ブロック６２０においてロケーション測定値の第２のセットを取得することは、ＵＥによって送信されたサービングＲＡＴのための信号のロケーション測定値の第３のセットを取得することと、ロケーション測定値の第３のセットを、ロケーション測定値の第２のセットに含めることとを備え得る。ここで、いくつかの実施形態によれば、ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、受信送信時間差（Ｒｘ−Ｔｘ）、またはそれらの何らかの組合せのうちの少なくとも１つを備え得る。
【０１１０】
[0117]いくつかの実施形態では、ロケーション情報は、（例えば、図２のステージ２２０および２６０において）ＵＥによって取得された測定値を含み得る。ゆえに、いくつかの実施形態によれば、ロケーション測定値の第２のセットを取得することは、複数のＲＡＴのうちの少なくとも１つを使用して少なくとも１つのアクセスノードによって送信された信号の、ＵＥによって取得されるロケーション測定値を、アクセスノードにおいて、受信することと、ＵＥによって取得されるロケーション測定値を、ロケーション測定値の第２のセットに含めることとを備え得る。そのような事例では、少なくとも１つのアクセスノードは、上記アクセスノードを備え得、複数のＲＡＴのうちの少なくとも１つは、サービングＲＡＴを備え得る。代替的に、少なくとも１つのアクセスノードは、上記アクセスノードを備えない。この後者の場合、いくつかの実施形態によれば、複数のＲＡＴのうちの少なくとも１つは、サービングＲＡＴを備えないであろう。いくつかの実施形態では、ＵＥによって取得された測定値をアクセスノードによって取得することは、（例えば、ＲＲＣプロトコルを使用した）アクセスノードとＵＥとの間での要求および応答インタラクションを伴い得る。ゆえに、いくつかの実施形態によれば、アクセスノードにおいて、ＵＥによって取得されたロケーション測定値を受信することは、ＵＥによって取得されるロケーション測定値に対する要求を、ＵＥに送ることに応じて行われ得る。追加的にまたは代替的に、ＵＥによって取得されるロケーション測定値は、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡｏＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。
【０１１１】
[0118]ブロック６２０における機能性を実行するための手段は、バス９０５、処理ユニット９１０、通信サブシステム９３０、ワーキングメモリ９３５、オペレーティングシステム９４０、アプリケーション９４５、および／または図９に例示され、以下でより詳細に説明されるコンピュータシステム９００の他の構成要素のようなコンピュータシステムの１つまたは複数の構成要素を備え得る。追加的にまたは代替的に、ブロック６２０における機能性を実行するための手段は、バス１００５、処理ユニット１０１０、ワイヤレス通信インターフェース１０３０、メモリ１０６０、および／または図１０に例示され、以下でより詳細に説明されるアクセスノード１０００の他の構成要素のようなアクセスノードの１つまたは複数の構成要素を備え得る。
【０１１２】
[0119]ブロック６３０において、機能性は、第２のメッセージをロケーションサーバに送ることを含み、ここで、第２のメッセージは、ロケーション測定値の第２のセットを備える。いくつかの実施形態では、第１のメッセージおよび第２のメッセージは、ＮＲ測位プロトコルＡ（ＮＲＰＰａ）のためのメッセージを備え得る。この場合も同様に、ブロック６３０において実行される機能性は、ネットワークベースの測位のために実行され得る。ゆえに、いくつかの態様では、ブロック６３０の機能性は、図２のステージ２４０および２８０に対応し得る。
【０１１３】
[0120]ブロック６３０における機能性を実行するための手段は、バス９０５、処理ユニット９１０、通信サブシステム９３０、ワーキングメモリ９３５、オペレーティングシステム９４０、アプリケーション９４５、および／または図９に例示され、以下でより詳細に説明されるコンピュータシステム９００の他の構成要素のようなコンピュータシステムの１つまたは複数の構成要素を備え得る。追加的にまたは代替的に、ブロック６３０における機能性を実行するための手段は、バス１００５、処理ユニット１０１０、ワイヤレス通信インターフェース１０３０、メモリ１０６０、ネットワークインターフェース１０８０、および／または図１０に例示され、以下でより詳細に説明されるアクセスノード１０００の他の構成要素のようなアクセスノードの１つまたは複数の構成要素を備え得る。
【０１１４】
[0121]図７は、ある実施形態による、ロケーション情報を提供するためのＵＥ（例えば、ＵＥ１０５）における方法７００を例示するフロー図であり、これは、上で説明され、図１−４に例示された実施形態の態様にしたがってＵＥの機能性を例示する。これらの機能を実行するための手段は、図８に例示され、以下でより詳細に説明されるＵＥ１０５のようなＵＥ１０５のソフトウェアおよび／またはハードウェア構成要素を含み得る。
【０１１５】
[0122]ブロック７１０において、機能性は、ワイヤレスネットワーク内のロケーションサーバ（例えば、ＬＭＦ１２０）から、ＵＥのロケーションを決定するためのロケーション測定値の第１のセットに対する要求を備える第１のメッセージを受信することを含み、ここで、ロケーション測定値の第１のセットは、複数のＲＡＴに属する信号の測定値を備え、複数のＲＡＴは、ＵＥにサービス提供するサービングＲＡＴを含み、複数のＲＡＴのうちのどのＲＡＴがサービングＲＡＴを備えるかは、ロケーションサーバにとって未知である。この場合も同様に、複数のＲＡＴは、例えば、第５世代（５Ｇ）新無線（ＮＲ）ＲＡＴ、ロングタームエボリューション（ＬＴＥ）ＲＡＴ、ＩＥＥＥ８０２．１１ＷｉＦｉ ＲＡＴ、ブルートゥースＲＡＴ、またはそれらの何らかの組合せを含む様々なＲＡＴのうちのいずれかを備えることができる。ブロック７１０において実行される機能性は、所望の機能性に応じて、ＵＥ支援型のまたはＵＥベースの測位のために実行され得る。したがって、いくつかの態様では、ブロック７１０の機能性は、図３のステージ３３５および／または図４のステージ４３５に対応し得る。
【０１１６】
[0123]ブロック７１０における機能性を実行するための手段は、バス８０５、処理ユニット８１０、ワイヤレス通信インターフェース８３０、メモリ８６０、および／または図８に例示され、以下でより詳細に説明されるＵＥ１０５の他の構成要素のようなＵＥの１つまたは複数の構成要素を備え得る。
【０１１７】
[0124]ブロック７２０において、機能性は、ＵＥのロケーションを決定するためのロケーション測定値の第２のセットを取得することを含み、ここで、ロケーション測定値の第２のセットは、ロケーション測定値の第１のセットのサブセットを備え、ロケーション測定値の第２のセットは、サービングＲＡＴに属する信号の測定値を含む。ブロック７２０において実行される機能性は、所望の機能性に応じて、ＵＥ支援型のまたはＵＥベースの測位のために実行され得る。したがって、いくつかの態様では、ブロック７２０の機能性は、図３のステージ３４５および／またはステージ３５０、ならびに／あるいは図４のステージ４４５および／またはステージ４５０に対応し得る。
【０１１８】
[0125]ＵＥ支援型のまたはＵＥベースのＥＣＩＤまたはＯＴＤＯＡの場合、ロケーション測定値の第２のセットを取得することは、複数のＲＡＴのうちの少なくとも１つを使用して少なくとも１つのアクセスノードによって送信された信号のロケーション測定値の第３のセットを取得することと、ロケーション測定値の第３のセットを、ロケーション測定値の第２のセットに含めることとを備え得る。そのような事例では、ロケーション測定値の第３のセットは、受信信号強度インジケーション（ＲＳＳＩ）、基準信号受信電力（ＲＳＲＰ）、基準信号受信品質（ＲＳＲＱ）、ラウンドトリップ信号伝搬時間（ＲＴＴ）、到来角（ＡＯＡ）、発射角（ＡＯＤ）、受信送信時間差（Ｒｘ−Ｔｘ）、基準信号時間差（ＲＳＴＤ）、到着時間（ＴＯＡ）、またはそれらの何らかの組合せのうちの少なくとも１つを備え得る。追加的にまたは代替的に、少なくとも１つのアクセスノードは、ＮＲ ＲＡＴのためのＮＲノードＢ（例えば、ｇＮＢ１１０）、ＬＴＥ ＲＡＴのための次世代発展型ノードＢ（例えば、ｎｇ−ｅＮＢ１１４）、ＩＥＥＥ８０２．１１ＷｉＦｉ ＲＡＴのためのワイヤレスローカルエリアネットワーク（例えば、ＷＬＡＮ１１６）、またはブルートゥースＲＡＴのためのＷＬＡＮを備え得る。さらに、いくつかの実施形態によれば、複数のＲＡＴのうちの少なくとも１つは、サービングＲＡＴを備え得る。追加的にまたは代替的に、少なくとも１つのアクセスノードは、ＵＥのためのサービングｇＮＢ（例えば、ｇＮＢ１１０）またはサービングｎｇ−ｅＮＢ（例えば、ｎｇ−ｅＮＢ１１４）を備え得る。さらに、いくつかの実施形態によれば、複数のＲＡＴのうちの少なくとも１つは、サービングＲＡＴとは異なる。
【０１１９】
[0126]少なくとも１つのアクセスノードは、複数のアクセスノードを備え得る。いくつかの実施形態によれば、次いで、ロケーション測定値の第３のセットは、到着時間（ＴＯＡ）、基準信号時間差（ＲＳＴＤ）、またはそれらの何らかの組合せのうちの少なくとも１つを備え得る。
【０１２０】
[0127]ブロック７２０における機能性を実行するための手段は、バス８０５、処理ユニット８１０、ワイヤレス通信インターフェース８３０、メモリ８６０、および／または図８に例示され、以下でより詳細に説明されるＵＥ１０５の他の構成要素のようなＵＥの１つまたは複数の構成要素を備え得る。
【０１２１】
[0128]ブロック７３０において、機能性は、第２のメッセージをロケーションサーバに送ることを含み、ここで、第２のメッセージは、ロケーション測定値の第２のセットを備える。いくつかの実施形態では、第１のメッセージおよび第２のメッセージは、ＬＴＥ測位プロトコル（ＬＰＰ）、ＮＲ測位プロトコル（ＮＰＰ）、または両方のプロトコルのためのメッセージを備え得る。この場合も同様に、ブロック７１０において実行される機能性は、所望の機能性に応じて、ＵＥ支援型のまたはＵＥベースの測位のために実行され得る。ゆえに、いくつかの態様では、ブロック７３０の機能性は、図３のステージ３５５および／または図４のステージ４５５に対応し得る。
【０１２２】
[0129]ブロック７３０における機能性を実行するための手段は、バス８０５、処理ユニット８１０、ワイヤレス通信インターフェース８３０、メモリ８６０、および／または図８に例示され、以下でより詳細に説明されるＵＥ１０５の他の構成要素のようなＵＥの構成要素の１つまたは複数の構成要素を備え得る。
【０１２３】
[0130]図８は、（例えば、図１−４に関連して）本明細書で上述したように利用されることができるＵＥ１０５の実施形態を例示する。例えば、ＵＥ１０５は、図７の方法７００の機能のうちの１つまたは複数を実行することができる。図８が、様々な構成要素の一般化された図を提供することを意図しているにすぎず、それらのうちのいずれかまたはすべてが適宜利用され得ることは留意されるべきである。いくつかの事例では、図８によって例示される構成要素が、単一のデバイスにローカライズされ得ること、および／または、異なる物理ロケーションに配置され得る（例えば、ユーザの身体の異なる部分に位置付けられる、この場合、構成要素は、パーソナルエリアネットワーク（ＰＡＮ）および／または他の手段を介して通信可能に接続され得る）様々なネットワーク化されたデバイスの間で分散され得ることに留意されたい。
【０１２４】
[0131]バス８０５を介して電気的に結合され得る（または、適宜、他の方法で通信状態にあり得る）ハードウェア要素を備えるＵＥ１０５が示される。ハードウェア要素は、１つまたは複数の汎用プロセッサ、（デジタルシグナルプロセッサ（ＤＳＰ）チップ、グラフィックス加速度プロセッサ、特定用途向け集積回路（ＡＳＩＣ）、および／または同様のもののような）１つまたは複数の専用プロセッサ、および／または他の処理構造もしくは手段を限定なく含むことができる処理ユニット８１０を含み得る。図８に示されるように、いくつかの実施形態は、所望の機能性に応じて、別個のデジタルシグナルプロセッサ（ＤＳＰ）８２０を有し得る。ワイヤレス通信に基づくロケーション決定および／または他の決定は、処理ユニット８１０および／またはワイヤレス通信インターフェース８３０（以下で説明される）において提供され得る。ＵＥ１０５はまた、キーボード、タッチスクリーン、タッチパッド、マイクロフォン、ボタン、ダイアル、スイッチ、および／または同様のものを限定なく含むことができる１つまたは複数の入力デバイス８７０と、ディスプレイ、発光ダイオード（ＬＥＤ）、スピーカ、および／または同様のものを限定なく含むことができる１つまたは複数の出力デバイス８１５とを含み得る。
【０１２５】
[0132]ＵＥ１０５はまた、図１に関して上で説明したネットワークを介してＵＥ１０５が通信することを可能にし得る、モデム、ネットワークカード、赤外線通信デバイス、ワイヤレス通信デバイス、および／または（ブルートゥースデバイス、ＩＥＥＥ８０２．１１デバイス、ＩＥＥＥ８０２．１５．４デバイス、ＷｉＦｉデバイス、ＷｉＭＡＸデバイス、セルラ通信設備、等のような）チップセットおよび／または同様のものを限定なしに備え得るワイヤレス通信インターフェース８３０を含み得る。ワイヤレス通信インターフェース８３０は、データおよびシグナリングが、ネットワーク、ｅＮＢ、ｇＮＢ、ｎｇ−ｅＮＢ、および／または他のアクセスノードタイプ、および／または他のネットワーク構成要素、コンピュータシステム、および／または本明細書で説明される任意の他の電子デバイスと通信（例えば、送信および受信）されることを可能にし得る。通信は、ワイヤレス信号８３４を送るおよび／または受信する１つまたは複数のワイヤレス通信アンテナ８３２を介して実行され得る。
【０１２６】
[0133]所望の機能性に応じて、ワイヤレス通信インターフェース８３０は、基地局（例えば、ｎｇ−ｅＮＢおよびｇＮＢ）と通信するための別個のトランシーバと、ワイヤレスデバイスおよびアクセスポイントのような他の地上トランシーバとを備え得る。ＵＥ１０５は、様々なネットワークタイプを備え得る異なるデータネットワークと通信し得る。例えば、ワイヤレスワイドエリアネットワーク（ＷＷＡＮ）は、符号分割多元接続（ＣＤＭＡ）ネットワーク、時分割多元接続（ＴＤＭＡ）ネットワーク、周波数分割多元接続（ＦＤＭＡ）ネットワーク、直交周波数多元接続（ＯＦＤＭＡ）ネットワーク、シングルキャリア周波数分割多元接続（ＳＣ−ＦＤＭＡ）ネットワーク、ＷｉＭａｘ（ＩＥＥＥ８０２．１６）ネットワーク、等であり得る。ＣＤＭＡネットワークは、ｃｄｍａ２０００、広帯域ＣＤＭＡ（ＷＣＤＭＡ）、等のような１つまたは複数の無線アクセス技術（ＲＡＴ）をインプリメントし得る。Ｃｄｍａ２０００は、ＩＳ−９５、ＩＳ−２０００、および／またはＩＳ−８５６規格を含む。ＴＤＭＡネットワークは、ＧＳＭ、デジタルアドバンストモバイルフォンシステム（Ｄ−ＡＭＰＳ）、または何らかの他のＲＡＴをインプリメントし得る。ＯＦＤＭＡネットワークは、ＬＴＥ、ＬＴＥアドバンド、５Ｇ ＮＲ、等を用い得る。５Ｇ ＮＲ、ＬＴＥ、ＬＴＥアドバンスト、ＧＳＭ、およびＷＣＤＭＡは、第３世代パートナーシッププロジェクト（３ＧＰＰ）からの文書に記載されている。Ｃｄｍａ２０００は、「第３世代パートナーシッププロジェクト２（３ＧＰＰ２）」という名称の団体からの文書に記載されている。３ＧＰＰおよび３ＧＰＰ２の文書は公に入手可能である。ワイヤレスローカルエリアネットワーク（ＷＬＡＮ）は、ＩＥＥＥ８０２．１１ｘネットワークであり得、ワイヤレスパーソナルエリアネットワーク（ＷＰＡＮ）は、ブルートゥースネットワーク、ＩＥＥＥ８０２．１５ｘ、または何らかの他のタイプのネットワークであり得る。本明細書で説明された技法はまた、ＷＷＡＮ、ＷＬＡＮ、および／またはＷＰＡＮの任意の組合せに使用され得る。
【０１２７】
[0134]ＵＥ１０５は、センサ８４０をさらに含み得る。センサ８４０は、１つまたは複数の慣性センサおよび／または他のセンサ（例えば、加速度計、ジャイロスコープ、カメラ、磁力計、高度計、マイクロフォン、近接度センサ、光センサ、気圧計、および同様のもの）を限定なく備え得、それらのうちのいくつかは、いくつかの事例において、本明細書で説明される位置決定を補完および／または容易にするために使用され得る。
【０１２８】
[0135]ＵＥ１０５の実施形態はまた、（例えば、アンテナ８３２と同じであり得る）アンテナ８８２を使用して１つまたは複数のＧＮＳＳ衛星（例えば、ＳＶ１９０）から信号８８４を受信することが可能なＧＮＳＳ受信機８８０を含み得る。ＧＮＳＳ信号測定値に基づく測位は、本明細書で説明された技法を補完および／または組み込むために利用され得る。ＧＮＳＳ受信機８８０は、全地球測位システム（ＧＰＳ）、ガリレオ、ＧＬＯＮＡＳＳ、日本上の準天頂衛星システム（ＱＺＳＳ）、インド上のインド地域航法衛生システム（ＩＲＮＳＳ）、中国上空のＢｅｉｄｏｕ、および／または同様のもののようなＧＮＳＳシステムのＧＮＳＳ ＳＶ（例えば、図１のＳＶ１９０）から、従来の技法を使用して、ＵＥ１０５の位置を抽出することができる。さらに、ＧＮＳＳ受信機８８０は、例えば、ＷＡＡＳ、ＥＧＮＯＳ、運輸多目的衛星用衛星航法補強システム（ＭＳＡＳ）、およびＧＡＧＡＮ（Geo Augmented Navigation system）および／または同様のもののような１つまたは複数のグローバルおよび／またはリージョナルナビゲーション衛星システムに関連付けられるか、そうでなければそれとともに使用することが可能にされ得る様々なオーグメンテーションシステム（例えば、静止衛星型衛星航法補強システム（ＳＢＡＳ））とともに使用され得る。
【０１２９】
[0136]ＵＥ１０５は、メモリ８６０をさらに含み得、および／または、それと通信状態にあり得る。メモリ８６０は、ローカルおよび／またはネットワークアクセス可能な記憶媒体、ディスクドライブ、ドライブアレイ、光学記憶デバイス、プログラム可能、フラッシュ更新可能であり得る、ランダムアクセスメモリ（「ＲＡＭ」）および／または読取専用メモリ（「ＲＯＭ」）のようなソリッドステート記憶デバイス、および／または同様のものを限定なく含み得る。このような記憶デバイスは、様々なファイルシステム、データベース構造および／または同様のものを限定なく含む任意の適切なデータ記憶装置をインプリメントするように構成され得る。
【０１３０】
[0137]ＵＥ１０５のメモリ８６０はまた、１つまたは複数のアプリケーションプログラムのような、オペレーティングシステム、デバイスドライバ、実行可能なライブラリ、および／または他のコードを含むソフトウェア要素（図８に図示せず）を備えることができ、これらは、本明細書で説明されるように、様々な実施形態によって提供されるコンピュータプログラムを備え得、および／または、他の実施形態によって提供される、方法をインプリメントするようにおよび／またはシステムを構成するように設計され得る。単なる例として、上で説明した方法に関して説明された１つまたは複数のプロシージャは、ＵＥ１０５（および／またはＵＥ１０５内の処理ユニット８１０もしくはＤＳＰ８２０）によって実行可能なメモリ８６０中のコードおよび／または命令としてインプリメントされ得る。次いで、ある態様では、そのようなコードおよび／または命令は、説明された方法にしたがって１つまたは複数の動作を実行するように汎用コンピュータ（または、他のデバイス）を構成するおよび／または適合させるために使用され得る。
【０１３１】
[0138]図９は、ＮＧ−ＲＡＮ１３５、５ＧＣＮ１４０、および／または他のネットワークタイプの同様の構成要素のような５Ｇネットワークの様々な構成要素を含む、通信システム（例えば、図１の通信システム１００）の１つまたは複数の構成要素に組み込まれ得るおよび／または利用され得るコンピュータシステム９００の実施形態を例示する。図９は、図１−６に関して説明された方法のような、様々な他の実施形態によって提供される方法を実行することができるコンピュータシステム９００の一実施形態の略図を提供する。図９が、様々な構成要素の一般化された図を提供することを意図しているにすぎず、それらのうちのいずれかまたはすべてが適宜利用され得ることは留意されるべきである。したがって、図９は、比較的別々の方法でまたは比較的より統合された方法で個々のシステム要素がどのようにインプリメントされ得るかを広く例示する。加えて、図９によって例示される構成要素が、単一のデバイスにローカライズされ得ること、および／または、異なる物理ロケーションに配置され得る様々なネットワーク化されたデバイスの間で分散され得ることに留意されたい。いくつかの実施形態では、コンピュータシステム９００は、ＬＭＦ１２０、ｇＮＢ１１０（例えば、ｇＮＢ１１０−１）、ｎｇ−ｅＮＢ１１４、ＷＬＡＮ１１６、ｅＮＢ、別のセルラまたは非セルラアクセスノード、Ｅ−ＳＭＬＣ、ＳＵＰＬ ＳＬＰ、および／または何らかの他のタイプのロケーション対応デバイスに対応し得る。
【０１３２】
[0139]バス９０５を介して電気的に結合され得る（または、適宜、他の方法で通信状態にあり得る）ハードウェア要素を備えるコンピュータシステム９００が示される。ハードウェア要素は、１つまたは複数の汎用プロセッサ、（デジタルシグナルプロセッサチップ、グラフィックス加速度プロセッサ、および／または同様のもののような））１つまたは複数の専用プロセッサ、および／または、図９に関して説明された方法を含む、本明細書で説明された方法のうちの１つまたは複数を実行するように構成され得る他の処理構造を限定なく含み得る処理ユニット９１０を含み得る。コンピュータシステム９００はまた、マウス、キーボード、カメラ、マイクロフォン、および／または同様のものを限定なく含むことができる１つまたは複数の入力デバイス９１５と、ディスプレイデバイス、プリンタ、および／または同様のものを限定なく含むことができる１つまたは複数の出力デバイス９２０とを含み得る。
【０１３３】
[0140]コンピュータシステム９００は、１つまたは複数の非一時的な記憶デバイス９２５をさらに含み得（および／または、それと通信状態にあり得）、それは、ローカルおよび／またはネットワークアクセス可能な記憶媒体を限定なく備え得、および／または、ディスクドライブ、ドライブアレイ、光学記憶デバイス、プログラム可能、フラッシュ更新可能であり得る、ランダムアクセスメモリ（「ＲＡＭ」）および／または読取専用メモリ（「ＲＯＭ」）のようなソリッドステート記憶デバイス、および／または同様のものを限定なく含み得る。このような記憶デバイスは、様々なファイルシステム、データベース構造および／または同様のものを限定なく含む任意の適切なデータ記憶装置をインプリメントするように構成され得る。
【０１３４】
[0141]コンピュータシステム９００はまた、ワイヤレス通信インターフェース９３３によって管理および制御される（いくつかの実施形態における）ワイヤライン通信技術および／またはワイヤレス通信技術のサポートを含むことができる通信サブシステム９３０を含み得る。通信サブシステム９３０は、モデム、（ワイヤレスまたはワイヤード）ネットワークカード、赤外線通信デバイス、ワイヤレス通信デバイス、および／またはチップセット、および／または同様のものを含み得る。通信サブシステム９３０は、データおよびシグナリングが、ネットワーク、モバイルデバイス、他のコンピュータシステム、および／または本明細書で説明される任意の他の電子デバイスと交換されることを可能にするために、ワイヤレス通信インターフェース９３３のような１つまたは複数の入力および／または出力通信インターフェースを含み得る。「モバイルデバイス」および「ＵＥ」という用語は、限定はしないが、モバイルフォン、スマートフォン、ウェアラブルデバイス、モバイルコンピューティングデバイス（例えば、ラップトップ、ＰＤＡ、タブレット）、組込みモデム、ならびに自動車および他の車両コンピューティングデバイスのような任意のモバイル通信デバイスを指すために本明細書では交換して使用されることに留意されたい。
【０１３５】
[0142]多くの実施形態では、コンピュータシステム９００は、ＲＡＭおよび／またはＲＯＭデバイスを含むことができるワーキングメモリ９３５をさらに備えるだろう。ワーキングメモリ９３５内に位置しているとして示されるソフトウェア要素は、オペレーティングシステム９４０、デバイスドライバ、実行可能なライブラリ、および／またはアプリケーションプログラム９４５のような他のコードを含むことができ、これらは、本明細書で説明されるように、様々な実施形態によって提供されるコンピュータプログラムを備え得、および／または、他の実施形態によって提供される、方法をインプリメントするようにおよび／またはシステムを構成するように設計され得る。単なる例として、図９に関して説明した方法のような、上で説明した方法に関して説明された１つまたは複数のプロシージャは、ワーキングメモリ９３５に（例えば、一時的に）記憶され、コンピュータ（および／または、処理ユニット９１０のようなコンピュータ内の処理ユニット）によって実行可能なコードおよび／または命令としてインプリメントされ得、次いで、ある態様では、そのようなコードおよび／または命令は、説明された方法にしたがって１つまたは複数の動作を実行するように汎用コンピュータ（または、他のデバイス）を構成するおよび／または適合させるために使用され得る。
【０１３６】
[0143]これらの命令および／またはコードのセットは、上で説明された記憶デバイス９２５のような、非一時的なコンピュータ読取可能な記憶媒体に記憶され得る。時として、記憶媒体は、コンピュータシステム９００のようなコンピュータシステム内に組み込まれ得る。他の実施形態では、記憶媒体は、コンピュータシステムとは切り離されており（例えば、光ディスクのような取外し可能な媒体であり）、および／または、記憶媒体が、そこに記憶されている命令／コードで汎用コンピュータをプログラミングする、構成する、および／または適合させるために使用され得るように、インストールパッケージにおいて提供され得る。これらの命令は、コンピュータシステム９００によって実行可能であり得る実行可能なコードの形式をとり得るか、および／または、ソースコードおよび／またはインストール可能なコードの形式をとり得、それらは、（例えば、様々な一般に利用可能なコンパライラ、インストールプログラム、圧縮／解凍ユーティリティ、等のうちのいずれかを使用した）コンピュータシステム９００上へのコンパイルおよび／またはインストールに応じて、実行可能なコードの形式をとり得る。
【０１３７】
[0144]図１０は、（例えば、図１−６に関連して）本明細書で上述したように利用されることができるアクセスノード１０００の実施形態を例示する。例えば、アクセスノード１０００は、図６の方法６００の機能のうちの１つまたは複数を実行することができる。図１０が、様々な構成要素の一般化された図を提供することを意図しているにすぎず、それらのうちのいずれかまたはすべてが適宜利用され得ることは留意されるべきである。いくつかの実施形態では、アクセスノード１０００は、本明細書において上で説明したｇＮＢ１１０、ｎｇ−ｅＮＢ１１４、ｅＮＢ、ＷＬＡＮ１１６、またはＮ３ＩＷＦ１５０に対応し得る。
【０１３８】
[0145]バス１００５を介して電気的に結合され得る（または、適宜、他の方法で通信状態にあり得る）ハードウェア要素を備えるアクセスノード１０００が示される。ハードウェア要素は、１つまたは複数の汎用プロセッサ、（ＤＳＰチップ、グラフィックス加速度プロセッサ、ＡＳＩＣ、および／または同様のもののような）１つまたは複数の専用プロセッサ、および／または他の処理構造もしくは手段を限定なく含むことができる処理ユニット１０１０を含み得る。図１０に示されるように、いくつかの実施形態は、所望の機能性に応じて、別個のＤＳＰ１０２０を有し得る。いくつかの実施形態によれば、ワイヤレス通信に基づくロケーション決定および／または他の決定は、処理ユニット１０１０および／またはワイヤレス通信インターフェース１０３０（以下で説明される）において提供され得る。アクセスノード１０００はまた、キーボード、ディスプレイ、マウス、マイクロフォン、ボタン、ダイアル、スイッチ、および／または同様のものを限定なく含むことができる１つまたは複数の入力デバイスと、ディスプレイ、発光ダイオード（ＬＥＤ）、スピーカ、および／または同様のものを限定なく含むことができる１つまたは複数の出力デバイスとを含み得る。
【０１３９】
[0146]アクセスノード１０００はまた、本明細書で説明されるようにアクセスノード１０００が通信することを可能にし得る、モデム、ネットワークカード、赤外線通信デバイス、ワイヤレス通信デバイス、および／または（ブルートゥースデバイス、、ＩＥＥＥ８０２．１１デバイス、ＩＥＥＥ８０２．１５．４デバイス、ＷｉＦｉデバイス、ＷｉＭａｘデバイス、セルラ通信設備、等のような）チップセット、および／または同様のものを限定なく備え得るワイヤレス通信インターフェース１０３０を含み得る。ワイヤレス通信インターフェース１０３０は、ＵＥ、他のアクセスノード（例えば、ｅＮＢ、ｇＮＢ、およびｎｇ−ｅＮＢ）、および／または他のネットワーク構成要素、コンピュータシステム、および／または本明細書で説明される任意の他の電子デバイスとの間でデータおよびシグナリングが通信（例えば、送信および受信）されることを可能にし得る。通信は、ワイヤレス信号１０３４を送るおよび／または受信する１つまたは複数のワイヤレス通信アンテナ１０３２を介して実行され得る。
【０１４０】
[0147]アクセスノード１０００はまた、ワイヤライン通信技術のサポートを含むことができるネットワークインターフェース１０８０を含み得る。ネットワークインターフェース１０８０は、モデム、ネットワークカード、チップセット、および／または同様のものを含み得る。ネットワークインターフェース１０８０は、ネットワーク、通信ネットワークサーバ、コンピュータシステム、および／または本明細書で説明された任意の他の電子デバイスとデータが交換されることを可能にする、１つまたは複数の入力および／または出力通信インターフェースを含み得る。例えば、ネットワークインターフェース１０８０は、ＬＭＦ１２０との通信をサポートし得る。
【０１４１】
[0148]多くの実施形態では、アクセスノード１０００は、メモリ１０６０をさらに備える。メモリ１０６０は、ローカルおよび／またはネットワークアクセス可能な記憶媒体、ディスクドライブ、ドライブアレイ、光学記憶デバイス、プログラム可能、フラッシュ更新可能であり得る、ＲＡＭおよび／またはＲＯＭのようなソリッドステート記憶デバイス、および／または同様のものを限定なく含み得る。このような記憶デバイスは、様々なファイルシステム、データベース構造および／または同様のものを限定なく含む任意の適切なデータ記憶装置をインプリメントするように構成され得る。
【０１４２】
[0149]アクセスノード１０００のメモリ１０６０はまた、１つまたは複数のアプリケーションプログラムのような、オペレーティングシステム、デバイスドライバ、実行可能なライブラリ、および／または他のコードを含むソフトウェア要素（図１０に図示せず）を備え得、これらは、本明細書で説明されるように、様々な実施形態によって提供されるコンピュータプログラムを備え得、および／または、他の実施形態によって提供される、方法をインプリメントするようにおよび／またはシステムを構成するように設計され得る。単なる例として、上で説明した方法に関して説明された１つまたは複数のプロシージャは、アクセスノード１０００（および／またはアクセスノード１０００内の処理ユニット１０１０もしくはＤＳＰ１０２０）によって実行可能なメモリ１０６０中のコードおよび／または命令としてインプリメントされ得る。次いで、ある態様では、そのようなコードおよび／または命令は、説明された方法にしたがって１つまたは複数の動作を実行するように汎用コンピュータ（または、他のデバイス）を構成するおよび／または適合させるために使用され得る。
【０１４３】
[0150]特定の要件にしたがって相当な変更がなされ得ることは当業者には明らかとなるであろう。例えば、カスタマイズされたハードウェアも使用され得、および／または、特定の要素が、ハードウェア、ソフトウェア（アプレット、等のようなポータブルソフトウェアを含む）、またはその両方にインプリメントされ得る。さらに、ネットワーク入力／出力デバイスのような他のコンピューティングデバイスへの接続が用いられ得る。
【０１４４】
[0151]添付の図に関連して、メモリを含むことができる構成要素は、非一時的な機械読取可能な媒体を含むことができる。本明細書で使用される場合、「機械読取可能な媒体」および「コンピュータ読取可能な媒体」という用語は、機械を特定の方式で動作させるデータを提供することに関与している任意の記憶媒体を指す。上で提供された実施形態では、様々な機械読取可能な媒体が、実行のために、命令／コードを処理ユニットおよび／または他のデバイスに提供することに従事し得る。追加的にまたは代替的に、機械読取可能な媒体は、そのような命令／コードを記憶および／または搬送するために使用され得る。多くのインプリメンテーションでは、コンピュータ読取可能な媒体は、物理的なおよび／または有形の記憶媒体である。このような媒体は、不揮発性媒体、揮発性媒体、および伝送媒体を限定なく含む多くの形式をとり得る。コンピュータ読取可能な媒体の共通形式には、例えば、磁気および／または光学媒体、パンチカード、ペーパーテープ、ホールのパターンがある任意の他の物理媒体、ＲＡＭ、ＰＲＯＭ、ＥＰＲＯＭ、フラッシュＥＰＲＯＭ、任意の他のメモリチップまたはカートリッジ、下で説明される搬送波、あるいはコンピュータが命令および／またはコードを読み取る任意の他の媒体が含まれる。
【０１４５】
[0152]本明細書で説明された方法、システム、およびデバイスは、例である。様々な実施形態は、様々なプロシージャまたは構成要素を適宜省略、置き換え、または追加し得る。例えば、特定の実施形態に関連して説明された特徴は、様々な他の実施形態では組み合わせられ得る。実施形態の異なる態様および要素は、同様の方法で組み合わせられ得る。本明細書で提供される図の様々な構成要素は、ハードウェアおよび／またはソフトウェアにおいて具現化され得る。また、技術は発展するため、これらの要素の多くは、本開示の範囲をそれらの特定の例に制限しない例である。
【０１４６】
[0153]主に共通使用上の理由で、そのような信号を、ビット、情報、値、要素、シンボル、文字、変数、項、数、番号、または同様のもので呼ぶことが時に便利であることは証明されている。しかしながら、これらまたは同様の用語のすべては、適切な物理量に関連付けられるべきであり、便利なラベルにすぎないことが理解されるべきである。別途明記されていない限り、上の説明から明らかであるように、本明細書全体にわたって、「処理する」、「計算する」、「算出する」、「決定する」、「確認する」、「識別する」、「関連付ける」、「測定する」、「実行する」のような用語または同様の用語を利用した説明が、専用コンピュータまたは同様の専用電子コンピューティングデバイスのような特定の装置の動作またはプロセスを指すことは認識される。したがって、本明細書の文脈では、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、物理電子的な、電子的な、または磁気的な量として典型的に表現される信号を操作または変換することが可能である。
【０１４７】
[0154]本明細書で使用される場合、「および／ならびに」および「もしくは／または／あるいは」という用語は、このような用語が使用される文脈に少なくとも部分的に依存することが予想もされる様々な意味を含み得る。典型的に、Ａ、Ｂ、またはＣのようなリストを関連付けるために使用される場合「もしくは／または／あるいは」は、包含的な意味で使用される場合は、Ａ、Ｂ、およびＣを意味し、排他的な意味で使用される場合は、Ａ、Ｂ、またはＣを意味することが意図される。加えて、本明細書に使用される場合「１つまたは複数」という用語は、任意の特徴、構造、または特性を、単数形で説明するために使用され得るか、または複数の特徴、構造、または特性の何らかの組合せを説明するために使用され得る。しかしながら、これは、実例となる例にすぎず、本願の主題がこの例に限定されないことは留意されるべきである。さらに、Ａ、Ｂ、またはＣといったリストを関連付けるために使用される場合、「〜のうちの少なくとも１つ」という用語は、Ａ、ＡＢ、ＡＡ、ＡＡＢ、ＡＡＢＢＣＣＣ、等のような、Ａ、Ｂ、および／またはＣの任意の組合せを意味すると解釈され得る。
【０１４８】
[0155]いくつかの実施形態が説明されてきたが、本開示の精神から逸脱することなく、様々な修正、代替的な構成体、および等価物が使用され得る。例えば、上の要素は、より大きなシステムの構成要素にすぎず、そこでは、他の規則が、様々な実施形態の適用よりも優先され得るか、そうでなければそれらを修正し得る。また、上の要素が考慮される前に、最中に、または後に、いくつかのステップが実施され得る。したがって、上の説明は、本開示の範囲を制限するものではない。
【図１】
2021512285.tif 000005
【図２】
2021512285.tif 000006
【図３】
2021512285.tif 000007
【図４】
2021512285.tif 000008
【図５】
2021512285.tif 000009
【図６】
2021512285.tif 000010
【図７】
2021512285.tif 000011
【図８】
2021512285.tif 000012
【図９】
2021512285.tif 000013
【図１０】
2021512285.tif 000014
【国際調査報告】
2021512285.tif 000015
2021512285.tif 000016
2021512285.tif 000017
2021512285.tif 000018